(57)【要約】【課題】電気システムにおいて電流フロー等を監視する装置及び方法を提供する。【解決手段】該装置の例は、電気センサを具備するセンサ回路であって、電気センサが、電気導体に隣接した状態において付加された際に、電気導体を通じた電流フローのレベルを監視するように構成されているセンサ回路と、電気センサに結合された無線送信回路であって、電気センサからの電気出力信号を受信し、無線送信回路からデータを無線送信するように構成されている無線送信回路と、電気センサに結合されたクリップ組立体であって、センサ回路に機械的に結合され、且つ、保持エリアを定義する複数のクリップ部材を有し、複数のクリップ部材は、保持エリアに電気導体を受け入れ、電気導体に隣接した場所に電気センサを付加するべく、その内部において電気導体に対して力を作用させるように構成されている、クリップ組立体と、を具備する監視プローブを含む。【選択図】図１
2018072309.tif 000002
【特許請求の範囲】
【請求項１】
監視プローブであって、
電気センサを具備するセンサ回路であって、該センサ回路は、該電気センサが電気導体に隣接した状態において付加された際に、該電気導体を通じて流れる電流のレベルを監視するように構成され、該電気センサは、該電気センサが、該電気導体に電気的に結合されることなしに、該電気導体に隣接した状態において付加された際に、該電気導体を通じた電流フローのレベルを示す電気出力信号を生成するように構成された感知要素を具備する、センサ回路と、
該電気センサに結合された無線送信回路であって、該無線送信回路は、該電気センサから該電気出力信号を受信し、且つ、該無線送信回路から無線出力信号としてデータを無線送信するように構成され、該データは、該電気導体を通じた該電流フローのレベルを通知している、無線送信回路と、
該電気センサに結合されたクリップ組立体であって、該クリップ組立体は、該センサ回路に機械的に結合され、且つ、保持エリアを定義する複数のクリップ部材を有しており、該複数のクリップ部材は、該保持エリアにおいて該電気導体を受け入れ、且つ、該電気導体に隣接した場所において該電気センサを付加するべく、その内部における該電気導体に対して力を作用させるように構成されている、クリップ組立体と、
を具備する監視プローブ。
【請求項２】
該クリップ部材は、該クリップ組立体を該電気導体に付加するべく、該電気導体の周囲の大きな部分を取り囲むように構成されている、請求項１に記載の監視プローブ。
【請求項３】
該クリップ部材は、該クリップ組立体を該電気導体に付加するべく、該クリップ部材がフレキシブルに膨張して、それぞれのクリップ部材の端部部分の間の寸法を増大させ、該電気導体が、該端部部分の間の該寸法を通じて、且つ、該保持エリア内に、通過することを許容し、且つ、次いで、該電気導体の外部の周囲に向かってフレキシブルに伸長して、該電気導体の外部表面に対して力を作用させることを許容するように構成された弾性材料を具備する、請求項１に記載の監視プローブ。
【請求項４】
該クリップ部材は、該電気導体が該保持エリアにおいて完全に受け入れられた際に、該電気導体の該外部表面の周囲の全体を実質的に取り囲んでいる、請求項３に記載の監視プローブ。
【請求項５】
該クリップ部材は、クリップハンドルのペアに結合され、且つ、相互の関係において回動点を中心としてスプリング付勢され、且つ、該クリップハンドルのペアに印加された力が、該クリップ部材の端部部分の間の寸法を増大させ、該電気導体が、該端部部分の間の該寸法を通じて、且つ、該保持エリア内に、通過することを許容するように構成されており、
該クリップ部材は、該クリップハンドルに印加された該力が除去された際に、該スプリング付勢が、該クリップ部材に対して力を作用させ、これにより、該電気導体の周囲を実質的に取り囲むように、且つ、該クリップ組立体を該電気導体に付加するように、該クリップ部材を押圧するべく、更に構成されている、
請求項１に記載の監視プローブ。
【請求項６】
該電気センサ及び該無線送信回路は、該電気センサ回路に結合された電池によって電力供給されている、請求項１に記載の監視プローブ。
【請求項７】
該センサ回路は、該電気導体を取り囲む電磁放射から電力をキャプチャし、且つ、該センサ回路の電池又はスーパキャパシタを充電するように構成された電力ハーベスティング回路を具備する、請求項１に記載の監視プローブ。
【請求項８】
該無線送信回路は、該電気センサ回路によって監視されている該電気導体において信号を誘発することにより、データを送信するように構成されている、請求項１に記載の監視プローブ。
【請求項９】
該クリップ部材は、ほぼ丸い形状の弾性部材が、該電気導体の外径を少なくとも部分的に取り囲むことを許容するように寸法設定された該ほぼ丸い形状の弾性部材を含む、請求項１に記載の監視プローブ。
【請求項１０】
該クリップ組立体は、複数のセンサ保持位置を具備し、それぞれのセンサ保持位置は、該クリップにおいて該センサ回路を機械的に保持し、且つ、該センサ回路を該電気導体から既定の距離において位置決めするように、構成され、該既定の距離のそれぞれは、その他の既定の距離のそれぞれとの関係において該電気導体からの異なる距離である、請求項１に記載の監視プローブ。
【請求項１１】
該電気センサ回路は、温度を感知するように構成された温度センサを更に具備する、請求項１〜１０のいずれか１項に記載の監視プローブ。
【請求項１２】
プローブクリップ組立体であって、
第一クリップ部材と、
該第一クリップ部材に結合された第二クリップ部材であって、
該第一クリップ部材及び該第二クリップ部材は、電気導体の一部分を受け入れるように構成された保持エリアを部分的に封入するように構成され、該第一クリップ部材及び該第二クリップ部材は、該電気導体が該保持エリアにおいて完全に受け入れられた際に、該電気導体の該部分を少なくとも部分的に取り囲み、且つ、該プローブクリップ組立体を該電気導体に付加する方式で、該保持エリアにおいて受け入れられた該電気導体の該部分に力を作用させるように構成されている、第二クリップ部材と、
該第一クリップ部材及び該第二クリップ部材に結合されたハウジングであって、該ハウジングは、センサ回路を受け入れ、且つ、該電気導体が該保持エリアにおいて受け入れられ、且つ、該プローブクリップ組立体が該電気導体に付加された際に、該センサ回路を該電気導体に隣接した場所において位置決めするように構成され、該センサ回路は、該電気導体と関連する一つ以上のパラメータを監視し、且つ、該一つ以上のパラメータと関連するデータを無線送信するように構成されている、ハウジングと、
を具備するプローブクリップ組立体。
【請求項１３】
該クリップ部材は、該クリップ組立体を該電気導体に付加するべく、該クリップ部材がフレキシブルに膨張して、それぞれのクリップ部材の端部部分の間の寸法を増大させ、該電気導体が、該端部部分の間の該寸法を通じて、且つ、該保持エリア内に、通過することを許容し、且つ、次いで、該電気導体の外部の周囲に向かってフレキシブルに伸長して、該電気導体の外部表面に対して力を作用させることを許容するように構成された弾性材料を具備する、請求項１２に記載のプローブクリップ組立体。
【請求項１４】
該クリップ部材は、クリップハンドルのペアに結合され、且つ、相互の関係において回動点を中心としてスプリング付勢され、且つ、該電気導体が、該端部部分の間の該寸法を通じて、且つ、該保持エリア内に、通過することを許容するべく、該クリップハンドルのペアに印加された力が、該クリップ部材の端部部分の間の寸法を増大させるように構成され、
該クリップ部材は、該クリップハンドルに印加された該力が除去された際に、該スプリング付勢が、該クリップ部材に力を作用させ、これにより、該電気導体の周囲を実質的に取り囲み、且つ、該クリップ組立体を該電気導体に付加するべく、該クリップ部材を押圧するように更に構成されている、
請求項１２に記載のプローブクリップ組立体。
【請求項１５】
該第一クリップ部材及び該第二クリップ部材は、該電気導体の該部分を少なくとも部分的に取り囲み、且つ、該プローブクリップ組立体をサイズの範囲を有する電気導体に付加するように構成され、且つ、該プローブクリップ組立体は、複数のサイズ構成において提供され、該複数のサイズ構成のそれぞれは、該複数のサイズ構成のうちの別のものが受け入れるように構成されているサイズの範囲との比較において、異なるサイズの範囲である電気導体のサイズの範囲を受け入れるように構成されている、請求項１２に記載のプローブクリップ組立体。
【請求項１６】
方法であって、
電流感知用途用のセンサ回路を選択するステップと、
該電流感知用途用のクリップ組立体を選択するステップと、
該センサ回路を該クリップ組立体に機械的に結合するステップと、
該クリップ組立体を電気導体に機械的に結合するステップであって、該クリップ組立体を該電気導体に結合するステップは、該センサ回路が、該電気導体に隣接した状態において、且つ、これから既定の距離において、付加されるように、該クリップ組立体を結合するステップ、を具備する、ステップと、
該感知回路を使用し、該電気導体を通じて流れる電流のレベルを感知するステップと、
該センサ回路によって、該電気導体を通じて流れる該電流のレベルを通知する電気出力信号を生成するステップと、
無線送信回路によって、データを具備する無線出力信号を無線送信するステップであって、該データは、該電気導体を通じた該電流フローのレベルを通知している、ステップと、
を具備する方法。
【請求項１７】
該クリップ組立体を該電気導体に機械的に結合するステップは、
該クリップ部材の間の開口部寸法を増大させるべく、該クリップ組立体の保持エリアを形成しているクリップ部材のペアに回動自在に結合されたスプリング付勢されたハンドルのペアに対して力を作用させるステップと、
該開口部寸法を通じて、且つ、該保持エリア内に、該電気導体を受け入れるステップと、
該スプリング付勢されたハンドル上に作用した該力を除去し、これにより、該クリップ組立体を該電気導体に付加するべく、該スプリング付勢が、該クリップ部材を該電気導体に向かって押圧し、且つ、該電気導体の外部表面に対してクランピング力を作用させることを許容するステップと、
を具備する、請求項１６に記載の方法。
【請求項１８】
該クリップ組立体を該電気導体に機械的に結合するステップは、該クリップ部材を該電気導体に付加するべく、該クリップ部材が、該電気導体の周囲の大きな部分を取り囲むように、該クリップ部材を位置決めするステップ、を具備する、請求項１６に記載の方法。
【請求項１９】
システムであって、
電源と、負荷を具備する分岐回路と、を含む配電システムと、
該分岐回路及び該負荷を該電源に第一電気導体を通じて電気的に結合する該第一電気導体であって、該負荷と該電源との間における電流フロー用の経路を提供するように構成された電気回路の一部分を形成するように構成されている第一電気導体と、
該第一電気導体に機械的に結合されたセンサ回路であって、該センサ回路は、電流センサ回路及び無線送信回路を具備し、該電流センサ回路は、該無線送信回路に通信自在に結合され、該電流センサ回路は、該第一電気導体に隣接した状態において配置され、且つ、該第一電気導体を通じて流れる電流のレベルを感知し、且つ、該第一電気導体を通じて流れる電流の該感知されたレベルを示す電気出力信号を提供するように構成されている、センサ回路と、
を具備し、
該無線送信回路は、該電流センサ回路から該電気出力信号を受信し、且つ、該無線送信回路からデータを無線送信するように構成されており、該データは、該第一電気導体を通じて流れる該電流のレベルを通知する、システム。
【請求項２０】
該無線送信回路は、ネットワークに結合された受信機にデータを送信するように構成され、該ネットワークは、該送信されたデータに少なくとも部分的に基づいて、データセンタインフラストラクチャ管理機能を実行するように構成されたコンピュータを具備する、請求項１９に記載のシステム。
【発明の詳細な説明】
【技術分野】
【０００１】
本開示は、電気システムにおいて電流フロー及びその他のパラメータを監視する装置及び方法に関する。
【背景技術】
【０００２】
ネットワークサービス交換プロバイダ又はコロケーションプロバイダなどの大規模なデータセンタ又は演算環境は、通常、大規模な演算リソース及びインフラストラクチャを含む。データセンタは、ネットワーク接続機器をデータセンタにおいて配置した複数のテナントによって共有される場合がある。従って、データセンタは、通常、ネットワーク、サーバ、及びストレージ機器を含む熱を生成する多数の電子装置を含む。又、データセンタは、データセンタ内の温度の調節のために低温の空気を供給する冷却ユニットなどの様々なその他の機器をも含み得る。
【０００３】
それぞれのデータセンタは、通常、電力を施設内の装置に分配するためのいくつかの主配電ユニット及びバックアップ配電ユニットを含む。例えば、データセンタの電力システムは、一つ以上の電源と、システムによる電力供給の対象である様々な電気負荷に対して一つ以上の電源によって提供される電力を分配するべく利用される電気導体の構成と、を含む。これらの電気伝導性経路は、分岐回路と呼称されてもよく、それぞれの分岐回路は、電力供給対象である負荷をシステム内の一つ以上の電源に電気的に結合する、例えば、電気伝導性金属ワイヤなどの電気導体を具備する。所与の分岐回路は、電気伝導性経路の構成に応じて複数の更なる分岐回路に分岐し得る。更には、分岐回路は、一般に、システムによる電力供給の対象である負荷のうちの一つ以上をシステムにおいて提供されている電源のうちの一つ以上に対して電気的に結合するように構成されている。
【０００４】
動作の際には、電流フローの形態の電力が、電気伝導性経路によって分岐回路に提供される。正常な動作状態においては、分岐回路のうちの任意の所与の一つを通じた電流フローのレベルは、その特定の分岐回路に結合されている一つ以上の負荷によって決定される電流要件によって決定される。開路、短絡、又は接地障害状態がシステムにおいて発生した際などのその他の状態においては、電源からの、且つ／又は、分岐回路のうちの一つ以上を通じた、電流フローは、これらのその他の状態の影響を受ける場合があり、且つ、正常な動作状態において発生しているように負荷によって決定される代わりに、部分的又は全体的に、その特定の状態によって決定され得る。多くの例においては、システムの一つ以上の部分における電流フローを監視する能力は、システム内の電気的な問題の診断のために有用であり、且つ、いくつかの例においては、例えば、法律により、或いは、その他の安全規制又は規格に準拠するべく、必要とされる場合がある。
【発明の概要】
【０００５】
一般に、本開示は、電気センサ回路と、センサ回路が、限定を伴うことなしに配電システム内の電気ワイヤなどの、電気導体に隣接した状態において付加されることを許容するクリップ組立体又はその他の装着メカニズムと、を具備する電力監視プローブの例について記述している。センサ回路は、隣接する電気導体における電流などの電気特性を感知し、且つ、電気導体内の電流フローのレベルを通知する電気出力信号を生成するように、構成されている。センサ回路は、センサ回路が、電気導体の電気伝導性要素に電気的に結合されるか、或いは、これとの直接的な物理的接触状態となることを必要としないホール効果装置などの感知メカニズムを使用して動作している。例えば、クリップ組立体は、電気導体の電気伝導性要素を取り囲む絶縁要素に装着されるように設計することが可能であり、絶縁要素は、例えば、クリップ組立体及び電気センサが設置されるべき電気導体の、例えば、所定の長さなどの、所定の部分を取り囲んでいる。設置されたら、クリップ組立体は、電気導体に付加され且つこれに隣接した位置において、且つ／又は、その近傍において（例えば、それから何らかの既定の距離において）、センサ回路を保持しており、いくつかの例においては、クリップ組立体も、センサ回路も、電気導体の電気伝導性要素との物理的な接触状態にはない。その他の例においては、クリップ組立体は、それ自体が、電気導体の電気伝導性要素との接触状態にあってもよいが、クリップ組立体は、絶縁材料を具備しており、且つ、センサ回路が電気伝導性要素との接触状態となるか又はこれに電気的に結合されることを防止しつつ、センサ回路を電気伝導性要素に隣接した且つその近傍の場所において付加するように構成されている。この代替例は、電気導体が、電力監視プローブが電気導体に装着されるべく意図されている電気導体の部分において、「裸」のワイヤを具備する際などのように、電気導体が絶縁層によって取り囲まれていない用途を含む。
【０００６】
本明細書において記述されている電力監視プローブのセンサ回路の例は、プローブが、それを通じた電流フローを監視している電気導体から、何らかの距離において（例えば、何らかの予め定義されたものを超えない距離だけ離れて）配置されることのみを必要としていることから、このプローブは、監視されている電気導体によって形成される電気回路の一部分である必要がないという利点を提供することができると共に、センサ回路が電気導体の電気伝導性要素との電気的な接触状態にあるか又はこれと電気的に結合されることを必要とはしていない。様々な例において、センサ回路に結合されたクリップ組立体は、電気導体を通じた電流フローの電流監視を提供するべく、単純に電気導体に装着（クリップ留め）することが可能であり、且つ、従って、電気導体との関係において、適切な場所において、且つ、適切な距離において、センサ回路を付加することができる。様々な例において、クリップ組立体及びセンサ回路は、全体寸法との関係において小さいものであり、且つ、従って、電気導体を運動させたり又はその他の方法でこれを妨害したり又はこれを物理的に再構成する必要性を伴うことなしに、電気導体がその現在の形態において存在している状態で、電気導体上にクリップ留めさせることができる。
【０００７】
これに加えて、本明細書において記述されている電力監視プローブの様々な例は、プローブによって監視されている電気導体において感知される電流フローと関係するＰＬＣ（Power Line Carrier）によって送信及び受信されるデータ又は情報の無線通信を提供するように構成されている。従って、電力監視プローブは、電気システム内の一つ以上の電気導体上に、永久的に又は半永久的に、且つ、それぞれの電力監視プローブが、一つ以上の電力監視プローブの外部に配置された一つ以上の装置によって受信され得ると共に更に処理され得るデータをプローブからの無線送信を介して提供するように構成された状態において、取り付けることができる。この特徴により、システムの一つ以上の部分内の電流フローに関係するデータを提供するべく、且つ、コンピュータなどの外部装置を使用してこのデータを処理し、システムの稼働に関する情報を提供及び生成するべく、一つ以上の電力監視プローブをシステム上において設置することができる。電気システムの稼働に関する情報は、本明細書において更に記述されているように、システムの電力監視機能と、電気的な且つ／又は装置障害の状態の検出と、を含み得る。本開示において記述されている一つ以上の電力監視プローブからデータを受信する一つ以上の外部装置は、受信したデータの分析を実行することが可能であり、且つ、受信したデータの分析に基づいて、電力の使用状態及び効率などのシステムの稼働に関する統計情報を提供することが可能であり、且つ、短絡、開路、及び接地障害状態などのシステム内の障害状態について監視するように構成することもできる。
【０００８】
本明細書において記述されている電力監視プローブの低費用に起因し、いくつかのプローブを過度な費用を伴うことなしにシステムにおいて設置することが可能であり、且つ、相対的に多くのプローブを電気システムの全体を通じて設置することにより、障害状態を生成し得る電気システムの特定の部分に合焦した迅速且つ正確な検出を許容することができる。これに加えて、本開示において記述されている電力監視プローブの設置の容易性に起因し、電気導体上へのプローブのクリップ留めのように簡単であるいくつかの例においては、本明細書において記述されている電力監視プローブは、電気システムにおける障害状態又は何らかのその他の不規則性が存在しているか又は疑われる際などのように、電流を監視する必要性が生じたが、システムが、現時点においては、なんらのそのような障害状態の監視及び検出を支援するためのセンサ又はその他の装置を有していない際に、迅速且つ容易に設置することができる。本明細書において記述されているプローブの例は、電流フローに関するデータを送信するように構成されていることから、これらの装置は、電気システムにおいて存在している配線及び電位に曝露された状態にある電気技術者などの操作者の必要性を伴うことなしに、電気システムにおいて設置されることが可能であり、且つ、動作することが可能であり、これにより、電気システムの監視及びトラブルシューティングとの関係における安全対策が提供される。例えば、装置の一部分として電流フローの通知を提供するメータ又はディスプレイを有するその他のクランプ型の電流計測装置とは対照的に、本明細書において記述されている電力監視プローブは、電気システムにおいて設置されてもよく、且つ、次いで、システムが、動作させられてもよく、且つ、電力監視プローブによって無線送信される感知された電流フローから導出された情報に基づいて、一つ以上の電流が遠隔方式で（例えば、電気パネルの外部から、且つ、電気導体及び電気システムの装置から安全な距離において）監視されてもよい。
【０００９】
様々な例において、電力監視プローブのセンサ回路は、電気導体と関連するその他のパラメータを感知するように構成されてもよい。又、本明細書において記述されている電力監視プローブの例は、センサ回路の近傍において温度を感知し、且つ、感知した温度を通知する出力信号を提供するように構成された温度センサを含んでもよい。いくつかの例においては、電気導体が搬送するべく定格設定されている電流のレベルを上回る電流のレベルを電気導体が搬送している状況においては、過剰な量の熱が電気導体において生成される。この過剰な熱は、電気導体に対して結合されたシステム内の装置の過熱や電気導体自体の開路などのシステム内の電気的な問題を生成（し、これにより、開路障害を生成）することが可能であり、且つ、いくつかの例においては、電気システムにおける火災の発生に結び付く場合がある。このような問題は、本明細書において記述されている電力監視プローブの例に含まれている温度センサの使用を通じて、監視及び検出され得る。
【００１０】
本開示の様々な例は、監視プローブを対象としており、これは、電気センサを具備するセンサ回路であって、センサ回路は、電気センサが電気導体に隣接した状態において付加された際に、電気導体を通じた電流フローのレベルを監視するように構成されており、電気センサは、電気センサが、電気導体に電気的に結合されることなしに、電気導体に隣接した状態において付加された際に、電気導体を通じた電流フローのレベルを通知する電気出力信号を生成するよう構成された感知要素を具備する、センサ回路と、電気センサに結合された無線送信回路であって、無線送信回路は、電気センサから電気出力信号を受信し、且つ、データを無線出力信号として無線送信回路から無線送信するように構成されており、データは、電気導体を通じた電流フローのレベルを通知している、無線送信回路と、電気センサに結合されたクリップ組立体であって、クリップ組立体は、センサ回路に機械的に結合され、且つ、保持エリアを定義する複数のクリップ部材を有しており、複数のクリップ部材は、保持エリアにおいて電気導体を受け入れ、且つ、電気導体に隣接した場所において電気センサを付加するべくその内部において電気導体に力を作用させるように構成されている、クリップ組立体と、を具備する。
【００１１】
本開示において記述されているその他の例は、プローブクリップ組立体を対象としており、これは、第一クリップ部材と、第一クリップ部材に結合された第二クリップ部材であって、第一クリップ部材及び第二クリップ部材は、電気導体の一部分を受け入れるように構成された保持エリアを部分的に封入するように構成されており、第一クリップ部材及び第二クリップ部材は、電気導体が保持エリアにおいて完全に受け入れられた際に電気導体の一部分を少なくとも部分的に取り囲み、且つ、プローブ組立体を電気導体に付加する方式で、保持エリアにおいて受け入れられた電気導体の部分に対して力を作用させるように構成されている、第二クリップ部材と、第一クリップ部材及び第二クリップ部材に結合されたハウジングであって、ハウジングは、センサ回路を受け入れ、且つ、電気導体が保持エリアにおいて受け入れられ、且つ、プローブクリップ組立体が電気導体に付加された際に、電気導体に隣接した場所においてセンサ回路を位置決めするように構成されており、センサ回路は、電気導体と関連する一つ以上のパラメータを監視し、且つ、一つ以上のパラメータと関連するデータを無線送信するように構成されている、ハウジングと、を具備する。
【００１２】
本開示において記述されているその他の例は、監視プローブを形成するための部品のキットを対象としており、これは、少なくとも一つの感知回路であって、感知回路は、電気センサ及び電気センサに結合された無線送信回路を具備し、センサ回路は、電気導体を通じた電流フローのレベルを監視するように構成されており、電気センサは、電気センサが電気導体に電気的に結合されることなしに、電気導体に隣接した場所において配置された際に、電気導体を通じた電流フローのレベルを通知する電気出力信号を生成するよう構成された感知要素を具備しており、無線送信回路は、電気センサから電気出力信号を受信し、且つ、データを無線出力信号として無線送信回路から無線送信するように構成されており、データは、電気導体を通じた電流フローのレベルを通知している、感知回路と、複数のクリップ組立体であって、複数のクリップ組立体のそれぞれは、少なくとも一つのセンサ回路に機械的に結合されるように構成されており、且つ、複数のクリップ組立体のそれぞれは、クリップ部材によって形成された保持エリアにおいて電気導体のサイズ範囲を受け入れるように構成されたクリップ部材のペアを含み、且つ、複数のクリップ組立体のうちの一つ以上は、複数のクリップ組立体のうちの少なくとも一つのその他のものが受け入れるように構成されているものとは異なるサイズ範囲である電気導体のサイズ範囲を受け入れるように構成されている、複数のクリップ組立体と、を具備する。
【００１３】
本開示において記述されているその他の例は、方法を対象としており、これは、電流感知用途用のセンサ回路を選択するステップと、電流感知用途用のクリップ組立体を選択するステップと、センサ回路をクリップ組立体に機械的に結合するステップと、クリップ組立体を電気導体に機械的に結合するステップであって、クリップ組立体を電気導体に結合するステップは、センサ回路が、電気導体に隣接した状態において、且つ、それから既定の距離において、付加されるように、クリップ組立体を結合するステップを具備する、ステップと、センサ回路を使用することにより、電気導体を通じて流れる電流のレベルを感知するステップと、センサ回路により、電気導体を通じて流れる電流のレベルを通知する電気出力信号を生成するステップと、無線送信回路により、データを具備する無線出力信号を無線送信するステップであって、データは、電気導体を通じた電流フローのレベルを通知している、ステップと、を具備する。
【００１４】
本開示において記述されている更なる例は、システムを対象としており、これは、電源及び負荷を有する分岐回路を含む配電システムと、分岐回路及び負荷を第一電気導体を通じて電源に電気的に結合する第一電気導体であって、第一電気導体は、負荷と電源との間の電流フロー用の経路を提供するように構成された電気回路の一部分を形成するように構成されている、第一電気導体と、第一電気導体に機械的に結合されたセンサ回路であって、センサ回路は、電流センサ回路及び無線送信回路を具備し、電流センサ回路は、無線送信回路に通信自在に結合されており、電流センサ回路は、第一電気導体に隣接した状態において配置され、且つ、第一電気導体を通じて流れる電流のレベルを感知し、且つ、第一電気導体を通じて流れる電流の感知されたレベルを通知する電気出力信号を提供するように構成されており、無線送信回路は、電流センサ回路から電気出力信号を受信し、且つ、無線送信回路からデータを無線送信するように構成されており、データは、第一電気導体を通じて流れる電流のレベルを通知している、センサ回路と、を具備する。
【００１５】
本開示において記述されている装置、システム、及び方法のこれらの例及びその他の例及び利点については、更に後述する。
【図面の簡単な説明】
【００１６】
添付図面及び以下の説明には、本開示の一つ以上の例の詳細について記述されている。本開示のその他の特徴、目的、及び利点については、説明及び図面から、且つ、請求項から、明らかとなろう。
【００１７】
【図１】図１は、一つ以上の電力監視プローブが本明細書において記述されている様々な例に従って配備されている例示用の配電システムを示すブロックダイアグラムである。
【図２Ａ】図２Ａは、本明細書において記述されている様々な例による電力監視プローブの端面図である。
【図２Ｂ】図２Ｂは、本明細書において記述されている様々な例による電力監視プローブの側面図である。
【図２Ｃ】図２Ｃは、本明細書において記述されている様々な例による電力監視プローブの別の側面図である。
【図２Ｄ】図２Ｄは、本明細書において記述されている様々な例による電力監視プローブの平面図である。
【図２Ｅ】図２Ｅは、本明細書において記述されている様々な例による電力監視プローブの側面図である。
【図２Ｆ】図２Ｆは、本明細書において記述されている様々な例による電力監視プローブの側面図である。
【図２Ｇ】図２Ｇは、本明細書において記述されている様々な例による電力監視プローブの側面図である。
【図２Ｈ】図２Ｈ、図２Ｊ、及び図２Ｋは、本明細書において記述されている様々な例による電力監視プローブ２００の様々な図である。
【図２Ｊ】図２Ｈ、図２Ｊ、及び図２Ｋは、本明細書において記述されている様々な例による電力監視プローブ２００の様々な図である。
【図２Ｋ】図２Ｈ、図２Ｊ、及び図２Ｋは、本明細書において記述されている様々な例による電力監視プローブ２００の様々な図である。
【図２Ｌ】図２Ｌは、本明細書において記述されている様々な例によるキットを示す。
【図３】図３は、本明細書において記述されている様々な例による電力監視プローブを具備する例示用の配電システムを示すブロックダイアグラムである。
【図３Ａ】図３Ａは、本明細書において記述されている様々な例による図３の様々な通信装置及びシステムを示す概念図である。
【図４】図４は、本明細書において記述されている様々な技法による方法を示すフローチャートである。
【図５】図５は、本明細書において記述されている様々な技法による方法を示すフローチャートである。
【００１８】
本明細書において提供されている図面及び説明は、本開示の発明による方法、装置、及びシステムの様々な例について図示及び記述している。但し、本開示の方法、装置、及びシステムは、本明細書において図示及び記述されている特定の例に限定されるものではなく、且つ、当業者には理解されるように、本開示の方法、装置、及びシステムのその他の例及び変形も、本開示の範囲に含まれるものと想定される。
【発明を実施するための形態】
【００１９】
図１は、データセンタ又は高度な演算環境における配電システムなどの例示用の配電システム１０を示すブロックダイアグラムであり、この場合には、一つ以上の電力監視プローブが、本明細書において記述されている様々な例に従って配備されている。本明細書において更に記述されているように、操作者は、システム１０において、個々のプローブを容易に配備することが可能であり、再位置決めすることが可能であり、且つ、除去することができる。プローブのそれぞれは、隣接した配電導体における電気特性（例えば、電流）を感知し、且つ、データを一つ以上の外部装置（図１には、図示されていない）に無線送信する。プローブから送信される無線送信は、外部装置によって受信されてもよく、且つ、システム１０内の障害を検出するべく、分析されてもよい。記述されているように、プローブのそれぞれは、プローブが、システム１０において、容易に、着脱可能となり得るように、設置され得るように、且つ、再位置決めされ得るように、構成されてもよい。分岐回路に接続された電力監視プローブは、傾向分析及び課金のために顧客の電力消費状況を監視するべく使用されることになる。全体的な電力消費状況は、配電盤における電力均衡化のために使用されることになる。
【００２０】
図示されているように、システム１０は、（ＡＣ）電源１２と、（ＤＣ）電源４０と、を具備する。ＡＣ電源１２は、特定のタイプの供給源に、或いは、電圧、電流、及び／又は位相に関係する任意の特定のパラメータを有する交流の供給源に、限定されるものではない。様々な例において、ＡＣ電源１２は、例えば、米国において住宅又は商用電源として一般に使用されている６０ヘルツの、又は欧州又はアジアにおける５０Ｈｚの、周波数を有するボルトＲＭＳ供給源（１２０Ｖａｃ、又は４８０Ｖａｃ、又はその他のもの）などの商用電力プロバイダによって一般的に提供されている交流の供給源である。本明細書において記述されている例示用の装置及び技法を使用することにより、更に高い及び低い電圧の両方を含むその他の電圧をシステム１０の様々な部分において計測することができよう。図示されているように、ＡＣ電源１２は、電気導体１４、１６、及び１８によって表されている三つの個々の分岐回路に結合された主出力分岐回路１３を具備する。分岐回路のそれぞれは、負荷２２、２３、及び２４にそれぞれ結合されている。負荷２２、２３、２４は、任意の特定のタイプの負荷に限定されるものではなく、且つ、ＡＣ電源１２から電力を受け取るように構成された任意の負荷であってもよい。いくつかの例においては、負荷２２、２３、及び２４のうちの一つ以上は、ＡＣモータ、コンプレッサ、ファン、空調ユニット、並びに、データセンタにおいて利用されているその他のタイプの負荷であってもよい。負荷２２は、電気導体１４を通じてＡＣ電源１２に結合されており、且つ、基準電圧点２０に結合された電気導体１５を通じてＡＣ電源１２に対する電気接続を完成させている。基準電圧点２０は、電気導体２１を通じてＡＣ電源１２に結合されている。負荷２３は、電気導体１６を通じてＡＣ電源１２に結合されており、且つ、基準電圧点２０に結合された電気導体１７を通じてＡＣ電源１２に対する電気接続を完成させている。負荷２４は、電気導体１８を通じてＡＣ電源１２に結合されており、且つ、基準電圧点２０に結合された電気導体１９を通じてＡＣ電源１２に対する電気的接続を完成させている。電気導体１４、１６、１８は、例えば、データセンタ又はその他の複雑な演算環境などの物理的環境を通じて供給される独立した電気ワイヤであってもよい。
【００２１】
図１の例においては、三つの分岐回路のそれぞれは、それぞれ、矢印１４Ａ、１６Ａ、及び１８Ａによって表された分岐回路の電気導体を通じて流れる別個の電流を有する。図示されているように、矢印１４Ａは、電気導体１４及び１５を通じた交流（ＡＣ：Alternating Current）のフローを表しており、これは、負荷２２にも提供されている。正常な動作状態（例えば、分岐回路上に障害状態が存在していない）においては、電気導体１５を通じて流れる電流の量は、所与の時点において、電気導体１４を通じて流れる電流の量に等価となる。これに加えて、正常な動作状態においては、電気導体１４及び１５を通じて流れる電流の量は、実質的に、供給源１２からの出力電圧として発生する何らかの電圧変動を無視することにより、負荷２２の電力要件によって決定されることになる。
【００２２】
図１に示されているように、電力監視プローブ２６が、電気導体１４に付加されてもよく、且つ、別の電力監視プローブ２９が、電気導体１５に付加されてもよい。図１を参照して使用される「付加」という用語は、プローブ２６及び２９が、個々の電気導体１４及び１５に隣接した物理的位置において少なくとも一時的に固定され、且つ、電気導体１４及び１５からそれぞれ何らかの距離において位置決めされたセンサ回路を具備し、但し、この場合に、センサ回路は、これらの電気導体に電気的に結合されてはいないことを意味している。プローブ２６、２９のセンサ回路が個々の電気導体１４、１５に電気的に結合されていないという事実は、プローブが、電気導体１４及び１５がその一部分を構成している電気回路に物理的に装着されているが、その一部分を構成してはいないことを表す図中のプローブシンボルを通じた破線の使用により、示されている。本明細書において更に説明するように、プローブ２６及び２９の例は、プローブ内のセンサ回路が、電気導体１４及び１５を構成する電気伝導性要素に電気的に結合されことを要することなしに、電気導体１４及び１６などの電気導体上にクリップ留めされてもよい。電気導体上に個々にクリップ留めされたら、プローブ２６及び２９は、自身が隣接した状態において配置されている電気導体内の電流フローを感知し、且つ、データを一つ以上の外部装置（図１には、示されていない）に無線送信するように構成されており、データは、感知された電流フローに関係する情報を通知している。システム１０において、プローブ２６は、電気導体１４に装着され、且つ、例えば、電流フロー１４Ａなどの電流フローを感知し、且つ、電気導体１４を通じた電流フローを通知する情報を含むデータを無線送信するように構成されている。プローブ２９は、電気導体１５に装着され、且つ、電気導体１５内の電流フローを感知し、且つ、電気導体１５を通じた電流フローを示す情報を含むデータを無線送信するように構成されている。
【００２３】
プローブ２６、２９から送信される無線送信は、外部装置（図１には、示されていない）によって受信されてもよく、且つ、システム１０内の障害を検出するべく分析されてもよい。例えば、負荷２２によって引き出されるものと予想されている最大電流レベルに照らして、例えば、電気導体１４を通じた電流フローを監視することにより、過電流アラーム状態をトリガするように、この最大電流レベルを超過した電流負荷を設定することができる。このような過電流状態は、例えば、モータが、回転子ロック状態となるか又はこの状態を経験しており、その結果、予想されていないレベルの電流を引き出し始めた際などのように、例えば、負荷が適切に機能していない際に、発生し得る。又、電気導体１４を通じた過剰な電流の引き出しは、電気導体１４、１５及び負荷２２を具備する分岐回路における短絡状態をも通知し得る。
【００２４】
別の例においては、正常な動作状態において上述したように、電気導体１４及び１５を通じた電流フローは、任意の所与の時点において、同一レベルの電流であるはずである。プローブ２６、２９のうちの一方が、何らかの既定の量だけ、他方のプローブによって感知された電流フローのレベルと異なっている電流フローのレベルを感知した（例えば、電気導体１４、１５内の電流フローのレベルが、何らかの時点において同一ではない）場合には、分岐回路において、接地障害状態が存在し得る。接地障害状態は、一地点における回路内の電流が、負荷２２などの負荷を通過することなしに、図１の基準電圧レベル２０などの基準電圧レベルに「漏洩」した際に、存在する。このような状態は、システム１０と関連する装置及び／又は機器の周辺の人物に対する感電の危険を表す場合があり、且つ、いくつかの法域においては、接地障害状態が検出された際に、これらの障害の検出及び中断（例えば、回路への電力のターンオフ又は除去）が必要とされている。共通分岐回路上において二つのプローブ２６及び２９を使用し、且つ、二つのプローブによって感知された電流フローを比較することにより、このような状態が発生した場合に、接地障害状態を分岐回路において検出することができる。
【００２５】
その他の例においては、それぞれ、プローブ２６又は２９によって感知される電気導体１４、１５を通じた電流フローは、最小電流フローレベルに照らして比較されてもよく、且つ、その最小電流フローレベル未満である場合には、開路状態を通知し得る。例えば、負荷２２は、飛んだ場合に、負荷２２が電気導体１４及び１５を通じた電流フローを許容することを防止することになる内部ヒューズを具備してもよい。又、このような状態は、例えば、開路状態が存在しているなどのように、電気導体１４、１５のうちの一つが、分岐回路から、何らかの時点において、破断されるか、或いは、何らかの形態において接続切断された状態になった場合にも、存在し得る。負荷２２が、電源投入され、且つ、動作しているものと予想されている際に、電流が電気導体１４、１５を通じて流れていない状態を検出することにより、プローブ２６、２９のうちの一方又は両方から感知及び送信されたデータの分析を使用し、電気導体１４、１５及び負荷２２を具備する分岐回路内に開路状態が存在していると判定してもよい。
【００２６】
分岐回路又は電気システム内の障害状態の検出に加えて、プローブ２６、２９は、電流フローに関係した、且つ、従って、負荷２２などの負荷によって使用される電力の量に関係した、データを監視及び収集するべく使用されてもよい。感知された電流フローと関連する日付及び時刻情報を追加することにより、負荷の使用状況や効率に関係する情報を抽出し、且つ、傾向を検出するべく、且つ、例えば、感知された電流フローの監視から導出されるシステムランタイム情報に基づいて、例えば、システムに対して実行を要し得る定期保守の適切なタイミングを判定するべく、データの分析を実行することができる。
【００２７】
図示されているように、矢印１６Ａは、電気導体１６及び１７を通じた交流（ＡＣ）フローを表しており、これは、負荷２３にも提供されている。正常な動作状態においては、電気導体１６及び１７を通じて流れる電流の量は、供給源１２からの出力電圧として発生する何らかの電圧変動を無視することにより、実質的に、負荷２３の電力要件によって決定されることになる。プローブ２７及び３０は、それぞれ、電気導体１６及び１７に装着されており、且つ、プローブ２６及び２９との関係において上述した同一の機能のいずれかを、但し、電気導体１６、１７及び負荷２３を具備する分岐回路との関係において、実行し得る。同様に、矢印１８Ａは、電気導体１８及び１９を通じた交流（ＡＣ）フローを表しており、これは、負荷２４にも提供されている。正常な動作状態においては、電気導体１８及び１９を通じて流れる電流の量は、ＡＣ電源１２から出力電圧として発生する何らかの電圧変動を無視することにより、実質的に、負荷２４の電力要件によって決定されることになる。プローブ２８及び３１は、それぞれ、電気導体１８及び１９に装着されており、且つ、プローブ２６及び２９との関係において、上述した同一の機能のいずれかを、但し、電気導体１８、１９及び負荷２４を具備する分岐回路との関係において、実行し得る。
【００２８】
これに加えて、図１に示されているように、システム１０は、電気導体１３に隣接した状態において配置された電力監視プローブ２５をも含み、この場合に、電気導体１３は、ＡＣ電源１２からの主出力電気導体を提供しており、且つ、電力監視プローブ３２が、電気導体２１に隣接した状態において配置されており、この場合に、電気導体２１は、ＡＣ電源１２に対する電流用の低電圧リターン経路を提供している。プローブ２５及び３２は、システム１０に装着されたプローブについて記述されている機能のいずれかを提供するように構成されており、且つ、ＡＣ電源１２によって提供される電流フローの全体を感知するステップをも含む。又、プローブ２５及び３２は、電気導体１３及び２１の間におけるＡＣ電源１２から電力供給されている回路のいずれかにおける全体的な接地障害状態を検出するべく、且つ／又は、電気導体１３及び２１によって生成される接地障害状態を検出するべく、組合せにおいて使用されてもよい。
【００２９】
電力監視プローブの使用は、システム１０の交流部分における電流の感知に限定されるものではなく、且つ、システム１０は、異なるタイプの任意の数の電源を含んでもよい。図１の例に示されているように、システム１０は、例えば、直流（ＤＣ）供給源４０の形態における更なる電源を含んでもよい。ＤＣ電源４０は、特定のタイプの供給源に、或いは、電圧又は電流に関係する任意の特定のパラメータを有する直流の供給源に、限定されるものではない。ＤＣ電源は、任意の特定の電圧におけるＤＣ電力の提供に限定されるものではなく、且つ、システム１０内の一つ以上のＤＣ電源によって提供され得る相対的に高い及び低い電圧を含む、例えば、２４ボルトなどの、任意のその他の電圧を提供してもよい。様々な例において、ＤＣ電源４０は、電子回路及び低電圧装置（図１には、具体的に図示されていない）に電力供給するべく使用される直流の供給源である。この例においては、ＤＣ電源４０は、電気導体４２、４４、４６によって表されている三つの個々の分岐回路に結合された主出力分岐回路４１を具備する。分岐回路のそれぞれは、それぞれ、負荷５０、５１、及び５２に結合されている。負荷５０は、電気導体４２を通じてＤＣ電源４０に結合されており、且つ、基準電圧点４８に結合された電気導体４３を通じてＤＣ電源４０に対する電気接続を完成させている。基準電圧源４８は、電気導体４９を通じてＤＣ電源４０に結合されている。負荷５１は、電気導体４４を通じてＤＣ電源４０に結合されており、且つ、基準電圧点４８に結合された電気導体４５を通じてＤＣ電源４０に対する電気接続を完成させている。負荷５２は、電気導体４６を通じてＤＣ電源４０に結合されており、且つ、基準電圧点４８に結合された電気導体４７を通じてＤＣ電源４０に対する電気接続を完成させている。
【００３０】
電気導体４２、４３、及び負荷５０を具備する分岐回路を通じて流れる直流は、矢印４２Ａによって表されている。プローブ５４が、電気導体４２に装着されており、且つ、電気導体４２を通じた電流フローを感知するように構成されている。プローブ５７が、電気導体４３に装着されており、且つ、電気導体４３を通じた電流フローを感知するように構成されている。電気導体４４、４５、及び負荷５１を具備する分岐回路を通じて流れる直流は、矢印４４Ａによって表されている。プローブ５５が、電気導体４４に装着されており、且つ、電気導体４４を通じた電流フローを感知するように構成されている。プローブ５８が、電気導体４５に装着されており、且つ、電気導体４５を通じた電流フローを感知するように構成されている。電気導体４６、４７、及び負荷５２を具備する分岐回路を通じて流れる直流は、矢印４６Ａによって表されている。プローブ５６は、電気導体４６に装着されており、且つ、電気導体４６を通じた電流フローを感知するように構成されている。プローブ５９が、電気導体４７に装着されており、且つ、電気導体４７を通じた電流フローを感知するように構成されている。負荷５０、５１、及び５２は、任意の特定のタイプの負荷に限定されるものではなく、且つ、ＤＣ電源４０から電力を受け取るように動作可能な任意の負荷であってもよい。正常な動作状態においては、電流フロー４２Ａ、４４Ａ、及び４６Ａのレベルは、それぞれ、負荷５０、５１、５２の電力要件によって決定される。プローブ５４〜５９は、プローブ２６〜３１又は本明細書において記述されている例示用のプローブのいずれかとの関係において上述した電流感知及び／又は監視機能のいずれかを、但し、ＤＣ電源４０から電力を受け取るべく結合された電気導体及び負荷との関係において、実行するように構成され得る。
【００３１】
図示されているように、更なるプローブ５３が、メイン電気導体４１に装着され、これにより、ＤＣ電源４０からの主出力を提供してもよく、且つ、更なるプローブ６０が、電気導体４９に装着されており、この場合に、電気導体４９は、ＤＣ電源４０に対する電流の主リターン経路を提供している。プローブ５３及び６０は、システム１０において示されているプローブについて記述した、或いは、さもなければ本明細書において記述した、電流感知機能のいずれかを、但し、ＤＣ電源４０によって提供される電流フローの全体との関係において、実行するように構成され得る。いくつかの電気システムにおいては、ＡＣ電源１２などのシステム内の既存のＡＣ電源から、ＤＣ電源４０などのＤＣ供給源に電力供給することが一般的である。図１に示されているように、ＡＣ電源１２は、電気接続１１によって示されているように、ＤＣ電源４０を動作させるための電力を提供するべく、ＤＣ電源４０に結合されてもよい。電気接続１１は、様々な実施形態においては、二つ以上の電気導体を具備してもよく、これらは、ＤＣ電源４０に電力供給するべく使用される電気回路を提供している。システム１０内のその他のプローブについて上述したように、且つ、例えば、さもなければ本明細書において記述されているプローブについて記述したように、一つ以上の電流フローを監視するべく、且つ、これらのうちの一つ以上の電流フローに関係するデータを外部装置（図１には、示されていない）に無線送信するべく、例示を目的としてプローブ６１によって表されている一つ以上のプローブを電気接続１１に装着してもよい。
【００３２】
更に後述するように、システム１０において使用されているプローブの例は、プローブが、電流フローを感知するように動作するべく、且つ、データの無線送信を含む本明細書において記述されている任意のその他の機能を実行するべく、外部電力及び更なる電力接続が必要とされないように、それぞれのプローブ内のオンボード電池によって電力供給されてもよい。更には、電力監視プローブは、本明細書において更に記述されているように、サイズが小さいものであり、しばしば、最大でも、わずかに１０００〜８００ｍｍの立方体の空間しか占めておらず、且つ、従って、更なる機器を配置するための更なる空間がほとんど存在していない場合にも、電気キャビネット内などの小さなエリアにおいて電気導体に隣接した状態において設置することができる。
【００３３】
更には、システム１０のプローブのそれぞれは、センサ回路、無線送信機、電池、並びに、センサ回路、無線送信機、及び電池が電気導体に装着されることを許容するためのクリップ組立体又はその他の装着装置のみを具備してもよく、センサ回路は、外部回路への電流フローに関係するデータを送信するように構成されていることから、これらのプローブは、その単価が低廉である。従って、個々のプローブが、容易に除去及び／又は再位置決めされ得ることから、図１に示されているように、システム１０などの単一のシステム上において複数のプローブを設置することができる。これに加えて、プローブは、集積回路に電力供給するために使用される電池又はスーパキャパシタをトリクル充電するべく、プローブが付加されている電気導体からの電磁放射から電力を（例えば、電磁結合によって）キャプチャすることによる電力ハーベスティング方法を使用してもよい。これらの例においては、プローブは、電力ハーベスティング及び充電機能を実行するように構成されたオンボード電子回路を有することになる。
【００３４】
単一システム上において複数の着脱自在のプローブを使用することにより、上述の接地障害状態などの障害状態が検出され、これにより、安全特徴を提供することが可能であり、且つ、接地障害検出の法的な又は規制上の要件に対する準拠を提供し得る。又、システム内の特定の一地点において電気システム全体の電流を感知するべくシステム内に組み込まれ得る一つの全体電流感知装置又はメカニズムを有するのとは対照的に、本明細書において記述されている例示用のプローブの低単価は、複数のプローブが電気システム１０内の様々な地点において装着されることを許容し、且つ、その使用を奨励することになろう。システム１０の全体を通じて装着された複数のプローブを使用することにより、障害状態が、システム内の特定の場所において、或いは、特定の装置に起因して、発生した際に、異なる分岐回路内の電流フローに関係する情報を有することにより、迅速な診断と、障害状態を生成した回路の部分を特定する能力と、が許容され、これにより、トラブルシューティングするための、且つ、最終的に、システムを安全且つ適切な動作状態に修理及び回復するための、時間が低減される。
【００３５】
更には、低費用に起因し、プローブは、永久的な方式で、システム１０などのシステム上において設置することが可能であり、且つ、従って、問題又は障害状態がシステムにおいて存在している際のみならず、相対的に長期間にわたって、本明細書において記述されている監視及び分析特徴を提供することができる。これに加えて、プローブは、感知された電流フローに関係するデータを無線送信するように構成されていることから、プローブは、リアルタイムでシステム内の電流フローを監視する能力を依然として有しつつ、システム内に存在している電気導体及び電圧電位に曝露される電気技術者又は技術者などの要員に対する必要性を伴うことなしに、システム内の電流フローに関係するデータを提供するべく、システムの動作の際に、電気キャビネット又はその他の電気エンクロージャにおいて、封入されてもよい。この遠隔電流監視の特徴は、システムを動作させると共に維持するべく必要される要員のための向上した安全性のレベルを提供する。
【００３６】
システム１０において示されているプローブのうちの一つ以上のものの機能は、必ずしも、電流感知の提供に限定されるものではなく、且つ、本明細書において記述されているように、温度感知などの機能のうちのいずれかを含んでもよい。本明細書において記述されている技法によるプローブに関する更なる詳細については、例えば、図２Ａ〜図２Ｇ、図３、及び図３Ａとの関係において更に後述する。
【００３７】
図２Ａは、本明細書において記述されている様々な例による電力監視プローブ１００の端面図である。図示のように、プローブ１００は、ハウジング１１０において保持されたセンサ回路１０１を具備しており、ハウジング１１０及びセンサ回路１０１は、クリップ組立体１２０に結合されている。センサ回路１０１は、本明細書において記述されている電子センサ回路のいずれか又はその均等物を例示しており、且つ、いずれかの特定のタイプの電子センサ回路に限定されるものではない。様々な例において、センサ回路１０１は、図３及び図３Ａとの関係において更に図示及び記述するように、電子センサ、無線送信回路、並びに、電池などの電源を有する。
【００３８】
図２Ａを再度参照すれば、ハウジング１１０は、ハウジング下部１０６と、側部１０２Ａ、１０２Ｂと、センサ回路保持リップ１０４Ａ、１０４Ｂと、を具備する。側部１０２Ａ、１０２Ｂは、ハウジング下部１０６の両側エッジに沿ってハウジング下部１０６に装着されており、且つ、ハウジング下部１０６の上部表面１０６Ａから離れるように同一の方向においてある程度の距離だけ延在している。側部１０２Ａ、１０２Ｂのぞれぞれは、それぞれ、センサ回路保持リップ１０４Ａ、１０４Ｂを更に具備する。センサ回路保持リップ１０４Ａ、１０４Ｂは、センサ回路１０１に向かって、且つ、その上方において、戻る方向において、それぞれ、側部１０２Ａ、１０２Ｂのうちの一つの側部の上部エッジから延在している。従って、ハウジング１１０は、下部部分１０６、側部１０２Ａ、１０２Ｂ、及び保持リップ１０４Ａ、１０４Ｂを具備する部分的に封入された空洞を形成しており、空洞は、少なくとも部分的にハウジング１１０においてセンサ回路１０１を固定するように構成されており、且つ、ハウジング１１０に対して機械的に結合されている。図２Ａに示されているように、ハウジング下部１０６の上部表面１０６Ａは、センサ回路１０１の下部表面１０１Ａを受け入れ、且つ、これに物理的に接触するための表面を提供している。側部１０２Ａ、１０２Ｂは、ハウジング１１０においてセンサ回路１０１の第一側部１０１Ｂ及び第二側部１０１Ｃに許容された、矢印１０３によって表された、横方向の移動量に対する限度を保持するか又はこれを少なくとも提供するように構成されている。保持リップ１０４Ａ、１０４Ｂは、それぞれ、側部１０２Ａ、１０２Ｂから離れるように、且つ、部分的にセンサ回路１０１の上部表面１０１Ｄの上方において、延在している。保持リップ１０４Ａ、１０４Ｂは、ハウジング下部１０６との関係においてセンサ回路１０１に許容された、矢印１０５によって表されている垂直方向の移動量に対する限度を保持するか又はこれを少なくとも提供するように構成されている。
【００３９】
様々な例において、ハウジング１１０の少なくとも一つの端部は、センサ回路１０１が、ハウジング１１０内に挿入され得るように、開放状態にある。この方式によって挿入されている間に、センサ回路１０１の下部表面１０１Ａは、ハウジング１１０の上部表面１０６Ａに沿って運動し、センサ回路１０１の側部１０１Ｂ及び１０１Ｃは、側部１０２Ａ、１０２Ｂに沿って運動し、且つ、これらの近傍において位置し、且つ、センサ回路１０１の上部表面１０１Ｄは、保持リップ１０４Ａ、１０４Ｂのそれぞれの下方において留まり、且つ、これらによって部分的にカバーされている。この例においては、開放状態にあるハウジング１１０の少なくとも一つの端部は、図２Ａに示されている図面を覗き込むように図示された場合に、ハウジング１１０の端部であってもよい。様々な例において、センサ回路１０１は、センサ回路の下部表面１０１Ａ及び側部１０１Ｂ、１０１Ｃが、ハウジングの上部表面１０６Ａ、側部１０２Ａ、１０２Ｂ、及び保持リップ１０４Ａ、１０４Ｂによって形成された部分的な空洞において完全に位置決めされるように、上述のように、所定の位置まで、ハウジング１１０内に進行し得る。但し、代替例においては、ハウジング１１０の上部表面１０６Ａ、側部１０２Ａ、１０２Ｂ、及び保持リップ１０４Ａ、１０４Ｂによって形成される部分的な空洞は、センサ回路１０１の深さ寸法（この場合にも、図２Ａに示されている図面を覗き込んだ場合）未満である深さ寸法（図２Ａに示されている図面を覗き込んだ場合）を有するトンネル様の構造を形成してもよい。この代替例の様々なバージョンにおいては、上部表面１０６Ａ、側部１０２Ａ、１０２Ｂ、及び保持リップ１０４Ａ、１０４Ｂによって形成されるトンネル様の構造は、深さ寸法に沿ってセンサ回路１０１を部分的にのみ封入しており、この場合に、センサ回路１０１は、ハウジングの深さ寸法との関係において一つ又は両方の方向において、ハウジング１１０のトンネル様の構造を越えて延在し得る。
【００４０】
様々な例において、ハウジング１１０の側部１０２Ａ、１０２Ｂは、側部１０２Ａ、１０２Ｂが、それぞれ、両側において外向きの方向に曲がり得るように、弾性的に曲がりやすい材料を具備する。外向きの方向において曲がる際に、保持リップ１０４Ａ及び１０４Ｂは、保持リップを互いから遠く離れさせると共に、ハウジング１１０において形成される部分的な空洞の上部エリア１０７において相対的に大きな空間（開口部）を生成する方向において運動する。部分的な空洞の上部エリア１０７における開口部の膨張は、センサ回路１０１が、上部エリア１０７内の開口部を通じて、且つ、ハウジング１１０によって形成された部分的な空洞内に、挿入されるのを許容するべく十分なものとなるように構成されている。センサ回路１０１が、センサ回路１０１がハウジング１１０によって形成された部分的な空洞において受け入れられる位置に挿入されると共に、上部表面１０１Ｄが、部分的な空洞内に位置したら、側部１０２Ａ、１０２Ｂは、保持リップ１０４Ａ、１０４Ｂが、互いに向かって、且つ、センサ回路１０１の上部表面１０１Ｄ上を部分的にカバーする位置に、運動するように、互いに向かって弾性的に曲がって戻るように構成されている。従って、ハウジング１１０は、ハウジングの上部エリア１０７内の開口部を通じたセンサ回路１０１の挿入を許容するように、且つ、センサ回路１０１がハウジング１１０の部分的な空洞内に挿入されたら、上部表面１０６Ａ、側部１０２Ａ、１０２Ｂ、及び保持リップ１０４Ａ、１０４Ｂを介して部分的な空洞においてセンサ回路１０１を固定するように、構成されている。
【００４１】
様々な例において、センサ回路１０１の寸法との関係におけるハウジング１１０によって形成される部分的な空洞の寸法は、センサ回路１０１が、上述のように部分的な空洞内に挿入された際に、側部１０２Ａ、１０２Ｂが、センサ回路１０１の側部１０１Ｂ、１０１Ｃとの間において摩擦嵌めを形成するようなものになっている。この摩擦嵌めは、センサ回路１０１が、ハウジング及び／又はセンサ回路１０１にのみ作用する重力又は振動力などの力により、部分空洞から運動することを防止するのに十分な、センサ回路１０１上に作用する保持力を提供する。従って、ハウジング１１０は、ハウジング１１０からセンサ回路１０１を引っ張るようにセンサ回路に対して意図的に印加されたその他の外部力の追加を伴うことなしに、重力又は振動力に起因して、センサ回路１０１が、ハウジングの開放端部から滑り出すことを防止するように構成されている。更には、側部１０２Ａ、１０２Ｂは、センサ回路１０１がハウジング１１０において設置されたら、センサ回路１０１及び／又はハウジング１１０に意図的に印加された力により、ハウジング１１０の部分的な空洞から意図的に引っ張り出され得るように、弾性方式によって曲がりやすくなるように構成されている。センサ回路１０１の抜き出しは、ハウジング１１０の開放端部を通じて、センサ回路１０１をセンサ回路の深さ寸法に沿って押し出してセンサ回路を部分的な空洞及びハウジング１１０から外に押し出すことにより、或いは、その代わりに、センサ回路１０１を上部表面１０６Ａから離れる方向において上向きに持ち上げることにより、提供されてもよく、この場合に、側部１０２Ａ、１０２Ｂは、保持リップ１０４Ａ、１０４Ｂの間の空間が、センサ回路１０１がハウジング１１０の上部エリア１０７内の開口部を通じてハウジング１１０から除去されることを許容する程度にまで、曲げられ得る。
【００４２】
様々な例において、センサ回路１０１の高さ寸法との関係におけるハウジング１１０によって形成される部分的な空洞の寸法は、センサ回路１０１が、部分空洞において受け入れられた際に、保持リップ１０４Ａ、１０４Ｂが、センサ回路１０１の上部表面１０１Ｄとの接触状態にあり、且つ、上部表面１０６Ａに向かってセンサ回路１０１上において下向きの方向におけるクランピング力を提供するようなものである。保持リップ１０４Ａ、１０４Ｂによって提供されるこの下向きの力は、例えば、何らかの重力による力及び／又は振動による力がハウジングの開放端部から滑り出すように感知回路１０１を押圧することを許容することになる方向において、ハウジング１１０及び感知回路が方向付けされた際に、センサ回路１０１がハウジング１１０の開放端部から滑り出すことを防止するのに十分なクランピング力を提供するように構成されている。
【００４３】
様々な例において、ハウジング１１０は、オーバーモールド構造として形成されており、これにより、ハウジング１１０が、センサ回路１０１に永久的に付加され、センサ回路１０１からほぼ装着解除されないような方式で、センサ回路１０１を完全に又は部分的に封入している。様々な例において、センサ回路１０１が、ハウジング１１０によって形成された部分的な空洞において受け入れられた際に、接着剤が、永久的に、或いは、着脱自在の方式で、センサ回路１０１を定位置において保持するように、接着剤（図２Ａには、図示されていない）が、ハウジング１１０によって形成された部分的な空洞の内部に、且つ／又は、センサ回路１０１の一つ以上の表面１０１Ａ、１０１Ｂ、１０１Ｃ、１０１Ｄに、適用されてもよい。様々な例において、センサ回路１０１は、センサ回路１０１の下部表面１０１Ａに沿って接着剤（図２Ａには、示されていない）を使用することにより、ハウジング１１０の上部表面１０６Ａに固定されている。このような例においては、保持リップ１０４Ａ、１０４Ｂ及び／又は側部１０２Ａ、１０２Ｂは、ハウジング１１０の一部分として提供されてなくてもよく、且つ、接着剤は、側部１０２Ａ、１０２Ｂ又は保持リップ１０４Ａ、１０４Ｂの使用を伴うことなしに、ハウジング１１０との関係において定位置においてセンサ回路１０１を保持するように、構成されている。
【００４４】
センサ回路１０１をハウジング１１０に対して且つ／又はその内部において固定するための上述の技法の例は、例示を目的としており、且つ、これらの技法に限定されるものではない。限定を伴うことなしに、一つ以上の保持具クリップ（図２Ａには、示されていない）、限定を伴うことなしに、ねじ（図２Ａには、示されていない）などの一つ以上の留め具、及び、ゼロ挿入力（ＺＩＰ：Zero-Insertion Force）ソケット及びピン（図２Ａには、示されていない）を含むピンを受け入れるように動作可能なソケット、並びに、当業者によって理解されるこれらの何らかの均等物などのセンサ回路をハウジングに固定するその他の技法が、本明細書において提供されているように、ハウジング１１０などのハウジングにセンサ回路１０１を固定する方法として、想定される。
【００４５】
図示のように、クリップ組立体１２０は、クリップ装着ブロック１２２と、クリップ部材１２４Ａ、１２４Ｂと、を具備する。クリップ部材１２４Ａ、１２４Ｂは、クリップ装着ブロック１２２に機械的に結合され、且つ、それぞれ、ハウジング１１０から離れるように、遠位端部１２６Ａ、１２６Ｂに向かう方向においてクリップ装着ブロック１２２から離れるように延在している。遠位端部１２６Ａ、１２６Ｂは、遠位端部１２６Ａ、１２６Ｂの間において開口部１２８を生成するべく、互いに離隔している。開口部１２８は、クリップ部材１２４Ａ、１２４Ｂによって部分的に封入され、且つ、開口部１２８からクリップ装着ブロック１２２まで延在する保持エリア１３０まで通じている。保持エリア１３０は、電気導体（電気導体１５０として例示的に示されている）の一部分を受け入れ、且つ、プローブ１００を保持エリア１３０において受け入れられた電気導体の部分に固定するように構成されている。様々な例において、ブロック１２２は、保持エリア１３０において受け入れられた電気導体によって生成されると共にこれを取り囲んでいる電磁力が、ブロック１２２のエリアにおいて集中することを許容する材料から形成されている。
【００４６】
様々な例において、クリップ部材の構成及び／又はクリップ部材の遠位端部の構成は、定義された電気導体のサイズの範囲を受け入れるように設計されている。いくつかの例においては、サイズの範囲は、米国ワイヤゲージ（ＡＷＧ：American Wire Gauge）規格などのワイヤゲージ規格に基づいて定義されている。但し、多くの例においては、特定のワイヤのゲージには、電気導体の伝導性要素（例えば、ワイヤ）を取り囲む様々な異なるタイプの絶縁カバーが提供されてもよい。これらの絶縁性カバーは、異なる厚さを有しており、この結果、所与の同一のワイヤゲージにおける電気導体の外側寸法の変動がもたらされる。その他の例においては、少なくとも、監視プローブが付加される電気導体の部分において絶縁性カバーを有していない「裸」ワイヤが、対象となる電気導体である。従って、いくつかの例においては、クリップ部材の特定の組が付加されるように構成されている「サイズの範囲」は、例えば、クリップ組立体のクリップ部材によって形成される保持エリアにおいて受け入れられる電気導体の部分における電気導体の外部表面の周囲又は断面直径などの、外部表面のサイズの範囲によって定義されてもよい。例えば、実質的に丸い断面寸法を有する電気導体のケースにおいては、特定のクリップ部材の組のサイズの範囲は、断面寸法の直径の計測において、例えば、０．５〜１．０インチの範囲内の直径として規定されてもよい。この例においては、このサイズの範囲を有する電気導体に装着されるように構成されたクリップ組立体は、０．５〜１．０インチの範囲内の断面直径を有する電気導体に付加されるものとして、表記されることになろう。
【００４７】
異なるクリップ部材の組は、クリップ部材及びクリップ組立体が付加されるように構成されることになる電気導体の異なるサイズ範囲の組を有するように構成されてもよい。例えば、クリップ部材／クリップ組立体の第一の組は、３ｍｍ〜６ｍｍの範囲内の寸法を有する第一のサイズ範囲を有する電気導体に付加されるように構成されてもよく、クリップ部材／クリップ組立体の第二の組は、５ｍｍ〜８ｍｍの範囲内の寸法を有する第二のサイズ範囲を有する電気導体に付加されるように構成されてもよく、且つ、クリップ部材／クリップ組立体の第三の組は、７ｍｍ〜１０ｍｍの範囲内の寸法を有する第三のサイズ範囲を有する電気導体に付加されるように構成されてもよい。又、１０ｍｍ超のサイズ範囲を有するクリップの例も想定される。いくつかの例においては、クリップ部材／クリップ組立体の組のうちの一つ以上の組のサイズ範囲は、互いにオーバラップしており、即ち、電気導体のいくつかのサイズが、クリップ部材／クリップ組立体の複数の組において生じている。その他の例においては、それぞれのクリップ部材／クリップ組立体の範囲は、オーバラップしてはいない。クリップ部材／クリップ組立体の異なる組の数と、従って、提供され得る異なるサイズ範囲の数は、異なる組のいずれかの特定の数に限定されるものではなく、且つ、一つの又は複数の組であってもよい。
【００４８】
様々な例において、特定のサイズ範囲の電気導体に付加されるように設計されたクリップ部材／クリップ組立体の組は、そのクリップ組立体用の表記されたサイズ範囲を示す何らかの方式によって設計されてもよい。例えば、クリップ組立体は、特定のサイズ範囲に対応した特定の色を有する材料から形成され得る、例えば、クリップ部材などの、クリップ組立体の少なくとも何らかの部分を具備してもよい。例えば、第一のクリップ組立体は、クリップ組立体が付加されるように構成されている電気導体の第一のサイズ範囲に対応した青色を有する材料から形成されたクリップ部材を具備してもよく、第二のクリップ組立体は、第二クリップ組立体が付加されるように構成されている電気導体の第二のサイズ範囲に対応した黄色を有する材料から形成されたクリップ部材を具備してもよい。従って、特定のクリップ組立体が付加されるように構成されている電気導体のサイズ範囲を迅速に判定するべく、異なる色のクリップ部材が利用されてもよい。色の代わりに、又はこれに加えて、レタリング、番号、及び／又は実際の数値範囲などの様々なマーキングが、クリップ組立体上において印刷されてもよく、その内部に彫られてもよく、その内部に成形されてもよく、或いは、その他の方法でこれに伴って提供されてもよく、これらのマーキングは、特定のクリップ組立体が付加するように構成されているサイズ範囲に対応している。クリップ組立体におけるこれらのバリエーションにより、単純に、センサ回路を選択し、且つ、そのセンサ回路の設置が意図されている特定の電気導体のサイズに付加されるように構成されたクリップ組立体に結合することにより、一つの共通のセンサ回路を様々な外部寸法及びサイズを有する複数の電気導体のうちの一つに対して付加することができる。
【００４９】
様々な例において、一つ以上のセンサ回路は、複数の異なる電気導体のサイズ範囲に付加されるように構成されたクリップ組立体を含む複数のクリップ組立体を含むキットとして、パッケージ化されてよく、或いは、その他の方法によって提供されてもよい。例えば、キットは、第一サイズ範囲を有する電気導体に付加されるように構成された一つ以上のクリップ組立体と、第一サイズ範囲とは異なる第二サイズ範囲を有する電気導体に付加されるように構成された一つ以上のクリップ組立体と、を含んでもよい。様々な例において、キットに伴って提供されるクリップ組立体は、例えば、それぞれのクリップ組立体が付加されるように構成されている電気導体のサイズ範囲を通知する、異なる色を使用して、且つ／又は、マーキングにより、表記されてもよい。キットにおいて提供されるセンサ回路は、キットにおいて提供されるクリップ組立体のそれぞれに機械的に結合可能であり、これにより、それぞれのセンサ回路が、様々なクリップ組立体に、且つ、従って、様々なサイズレンジを有する様々な異なる電気導体に、結合されることを許容している。
【００５０】
様々な例において、クリップ部材１２４Ａ、１２４Ｂは、それぞれ、矢印１３１、１３２によって示されている方向において弾性によって曲がりやすくなるように構成されており、この場合に、それぞれのクリップ部材１２４Ａ、１２４Ｂは、固定された位置においてクリップ装着ブロック１２２に固定された状態において留まるように、但し、クリップ装着ブロックと、それぞれ、遠位端部１２６Ａ、１２６Ｂと、の間において、クリップ部材の長さに沿って曲がるように、構成されている。クリップ部材１２４Ａ、１２４Ｂの曲がりは、矢印１５５によって表されているように、開口部１２８を通じた、且つ、保持エリア１３０内への、電気導体１５０の一部分の挿入を許容する。矢印１５５によって表されているように、電気導体１５０が開口部１２８に向かって運動した際に、遠位端部１２６Ａ、１２６Ｂは、電気導体に接触し、且つ、遠位端部１２６Ａ及び１２６Ｂの間の開口部１２８の寸法を増大させるべく、それぞれ、矢印１３１、１３２によって示されている外向きの方向において曲がるようにクリップ部材１２４Ａ、１２４Ｂを押圧するべく、構成されている。開口部１２８の寸法の増大は、電気導体１５０が、開口部１２８を通じて、且つ、保持エリア１３０内に、通過することを許容する。電気導体がもはや遠位端部１２６Ａ、１２６Ｂに対して力を作用させない程度にまで、電気導体１５０が、開口部１２８を通過し、且つ、保持エリア１３０において受け入れられたら、クリップ部材１２４Ａ、１２４Ｂの弾性特性は、遠位端部１２６Ａ、１２６Ｂの間の開口部１２８の寸法が低減される位置に戻るように、クリップ部材１２４Ａ、１２４Ｂを促すことになる。ある時点において、電気導体１５０は、それぞれ、クリップ部材１２４Ａ、１２４Ｂの内部表面１２４Ｃ、１２４Ｄの何らかの部分が、クリップ部材１２４Ａ、１２４Ｂの間に、且つ、保持エリア１３０内に、位置した電気導体１５０の部分と接触し、且つ、互いに相対的に接近した方向において運動するように遠位端部１２６Ａ、１２６Ｂを押圧する方向における力をこれに対して作用させるべく構成されるように、クリップ部材１２４Ａ、１２４Ｂのそれぞれに接触することになる。
【００５１】
保持エリア１３０内の電気導体１５０の部分に対して力を作用させることにより、クリップ部材１２４Ａ、１２４Ｂは、保持エリア１３０において受け入れられた電気導体１５０の部分に対してクリップ組立体１２０を固定するように構成されている。クリップ部材１２４Ａ、１２４Ｂによって電気導体１４０に作用する力は、クリップ組立体と、従って、ハウジング１１０と、が、電気導体１５０に沿って発生し得る重力又はわずかな振動力などの力により、電気導体１５０の長手方向軸（例えば、電気導体１５０が図２Ａにおいて示されている際に、この図面を覗き込んだ場合の電気導体１５０の軸）の方向において電気導体に沿って運動することを防止するべく、十分なものとなるように構成されている。様々な例において、クリップ部材１２４Ａ、１２４Ｂは、例えば、クリップ部材１２４Ａ、１２４Ｂの内部又は外部表面の何らかの部分に沿ってクリップ部材において埋め込まれるか又はその他の方法でこれとの接触状態にある、例えば、金属スプリングシートなどのスプリング部材１２４Ｅを具備する。いくつかの例において、スプリング部材１２３Ｅは、曲がりやすく、且つ、クリップ組立体において受け入れられる電気導体によって生成される電磁界を集中させるようにも機能する金属（例えば、銅）などの金属から形成されている。スプリング部材は、互いに対向する方向においてクリップ部材１２４Ａ、１２４を押圧するように構成されており、且つ、いくつかの例においては、クリップ部材１２４、１２４Ｂによって作用するクランピング力を保持エリア１３０において受け入れられた電気導体の部分に対して提供するように構成されている。
【００５２】
この結果、クリップ組立体１２０は、クリップ組立体１２０と、従って、プローブ１００と、を電気導体の一部分に固定するべく、プローブ１００と電気導体１５０との間における電気的結合を提供する必要性なしに、或いは、さもなければ、電気導体１５０の位置又は何らかのその他の物理特性を変更する必要性なしに、電気導体１５０の一部分上に容易に挿入することができる。更には、クリップ組立体１２０及びハウジング１１０は、プローブが電気導体に固定される際に、電気導体１５０に隣接した状態において、且つ、これとの関係において既定の距離又は既定の距離の範囲において、センサ回路１０１を位置決めするように構成されていることから、適切なクリップ組立体及びハウジングの選択により、センサ回路１０１は、センサ回路１０１による電気導体１５０を通じた電流フローの感知を許容するべく、電気導体に付加され且つこれに隣接した位置において、且つ、電気導体から所定の距離において、物理的に配置される。
【００５３】
図２Ａに示されているように、電気導体１５０は、例示を目的として、絶縁層１５４によって取り囲まれた電気伝導性要素１５２の断面として示されており、電気導体は、実質的に丸い断面を有する。当業者に理解されるように、電気導体は、一般に、このように、既定の断面寸法と、規定されていない長さと、を有する銅又はアルミニウムなどの伝導性材料から形成されたワイヤなどの円筒形の形状の電気伝導性要素を具備する方式で形成されている。様々な例において、電気導体１５０の伝導性要素１５２は、一つ以上の束として形成され、且つ、公称断面幅又は太さと、規定されていない長さと、を有するほぼ円筒形の形状を有するワイヤのストランドなどの複数の電気導体を具備する。いくつかの例においては、電気伝導性要素は、絶縁材料の層によってカバーされていてもよく、或いは、そうでなくてもよく、且つ、「裸」のワイヤ又はワイヤのストランドの「裸」の束であってもよい。様々な例において、クリップ部材１２４Ａ、１２４Ｂは、特定の断面直径の範囲を有する、絶縁層を有する又は有していない、電気導体のサイズの変化の範囲にフレキシブルに装着されるか又は装着解除可能となるように構成されている。様々な例において、クリップ組立体１２０は、複数のクリップ組立体サイズにおいて提供されており、この場合に、クリップ組立体の異なるものは、電気導体の断面寸法の異なる範囲に装着可能（且つ、装着解除可能）となるように構成されている。この結果、特定の電気導体に対するハウジング１１０及びセンサ回路１０１の装着を許容し、これにより、異なる断面積を有する様々な電気導体に対するハウジング１１０及びセンサ回路１０１の装着を許容するべく、特定の断面直径を有する電気導体にクリップ留めされるように構成されたクリップ組立体を選択することが可能であり、且つ、ハウジング１１０に装着することができる。
【００５４】
更には、クリップ部材１２４Ａ、１２４Ｂの内部表面１２４Ｃ、１２４Ｄが、それぞれ、クリップ部材１２４Ａ、１２４Ｂの内部表面の全体に沿って、電気導体（例えば、電気導体１５０）と接触状態にあることは、或いは、保持エリア１３０及び内部表面１２４Ｃ、１２４Ｄによって形成された形状が、電気導体１５０の外部寸法及び形状と対称であることは、不要である。様々な例において、センサ回路１０１による電気導体を通じた電流フローの感知を許容するべく、電気導体に付加され且つ隣接した位置において且つ電気導体用の適切な距離においてプローブ１００のセンサ回路を十分に固定するために、内部表面１２４Ｃ及び１２４Ｄの何らかの部分のみが、保持エリア１３０において受け入れられた電気導体の部分に接触することが必要とされている。又、様々な例において、それぞれ、クリップ部材１２４Ａ、１２４Ｂの内部表面１２４Ｃ、１２４Ｄとの間における接触に加えて、クリップ組立体ブロック１２２は、電気導体との接触状態にあってもよく、且つ、これにより、保持エリア１３０において受け入れられた電気導体に付加され且つ隣接した位置におけるプローブ１００の保持を支援してもよい。
【００５５】
プローブ１００が、上述のように、電気導体１５０上において設置されたら、センサ回路１０１は、電気導体１５０を通じた電流フローを感知し、且つ、データを無線送信するように動作させられてもよく、データは、本明細書において記述されているように、電気導体１５０を通じた電流フローのレベルを通知している。様々な例において、センサ回路１０１は、本明細書において更に記述されているように、限定を伴うことなしに、温度などのその他のパラメータを感知し、且つ、これらのその他の感知されたパラメータを通知するデータを送信するように構成されている。これに加えて、プローブ１００は、電気導体が、開口部１２８の寸法を拡大させるように、遠位端部１２６Ａ、１２６Ｂに対して力を作用させ、且つ、これにより、保持エリア１３０からの電気導体１５０の除去を許容するように、プローブ１００を電気導体１５０から離れるように引っ張ることにより、電気導体から迅速且つ容易にクリップ留め解除（除去）されてもよい。プローブ１００の除去は、電気導体１５０からのプローブ１００の電気的な接続切断を必要としてはおらず、その理由は、プローブ１００が、そもそも、電気導体１５０に電気的に結合されていなかったからであり、且つ、電気導体１５０を通じた電流フローを監視するべく、電気導体１５０に電気的に結合されることを必要としていなかったからである。これに加えて、クリップ組立体１２０は、クリップ部材１２４Ａ、１２４Ｂによって電気導体１５０の外部に作用させられたクランピング力により、且つ、その他の方法で電気導体１５０を物理的に変更する必要性を伴うことなしに、電気導体１５０に装着されたのみであることから、電気導体１５０からのプローブ１００の除去は、電気導体１５０を物理的に変更するか又は何らかの大規模な方式によって電気導体１５０をその他の方法で妨害又は変更する必要性を伴うことなしに、実現することができる。
【００５６】
図２Ｂは、本明細書において記述されている様々な例による電力監視プローブ１００の側面図である。図示されているように、プローブ１００は、図２Ａとの関連において先程図示及び記述したように、ハウジング１１０と、クリップ組立体１２０と、を具備するが、いまや、側部１０２Ｂ、クリップ部材１０２Ｂ、及び遠位端部１２６Ｂを含む側面図においてプローブ１００を観察するように回転されている。図２Ｂに示されているように、センサ回路１０１は、上部表面１０６Ａ、側部１０２Ａ、１０２Ｂ、及び保持リップ１０４Ａ、１０４Ｂによって形成された部分空洞において封入されている。様々な例において、センサ回路１０１は、開口端部１０９を通じてハウジング１１０に挿入されていてもよく、或いは、ハウジングの上部エリア１０７を通じてハウジング１１０に挿入されていてもよい。上述のように、クリップ組立体１２０が、クリップ組立体ブロック１２２により、ハウジング１１０に機械的に結合されている。クリップ組立体１２０は、矢印１５５によって示されているように、例示用の電気導体１５０をクリップ組立体の保持エリア１３０において受け入れるように構成されている。又、上述のように、クリップ組立体１２０は、プローブ１００が電気導体から迅速且つ容易に装着解除され得るような方式で、プローブ１００を電気導体１５０などの電気導体に装着するようにも、構成されている。
【００５７】
様々な例において、ハウジング１１０及びセンサ回路１０１は、６ｍｍ〜８ｍｍの深さ寸法１１１を有する。様々な例において、クリップ組立体１２０は、５ｍｍ〜８ｍｍの範囲内の全体高さ寸法１１５を有する。様々な例において、ハウジング１１０及びクリップ組立体１２０は、機械的に結合された際に、７ｍｍ〜１６ｍｍの範囲内の全体高さ寸法１１３を有する。様々な例において、センサ回路１０１は、５ｍｍ〜８ｍｍの範囲内の高さ寸法を有する。
【００５８】
図２Ｃは、本明細書において記述されている様々な例による電力監視プローブ１００の別の側面図である。図示のように、センサ回路１０１は、ハウジング１１０の深さ寸法１１９を上回る深さ寸法１１１を有する。従って、センサ回路１０１は、例えば、ハウジング１１０の開口端部１０９及び／又は開口端部１０９Ａを超えて延在している。この例において、ハウジング１１０は、センサ回路１０１の深さ寸法１１１を下回る深さ寸法１１９を有するトンネル様の構造を提供している。
【００５９】
図２Ｄは、本明細書において記述されている様々な例による電力監視プローブ１００の平面図である。図示のように、センサ回路１０１は、ハウジング１１０において受け入れられ且つ側部１０２Ａ及び１０２Ｂの間において収容された状態において示されている。保持リップ１０４Ａ及び１０４Ｂは、センサ回路１０１の上部表面１０１Ａの一部分とオーバラップし、これにより、ハウジング１１０においてセンサ回路１０１を更に固定している。上述のように、ハウジング１１０及びセンサ回路１０１は、いくつかの例においては、約６ｍｍの深さ寸法１１１を有する。様々な例において、ハウジング１１０は、５ｍｍ〜６ｍｍの範囲内の全体幅寸法１２１を有する。様々な例において、センサ回路１０１を受け入れるように構成された側部１０２Ａ及び１０２Ｂの間の間隔は、３ｍｍ〜８ｍｍの範囲内の寸法１２３を有する。
【００６０】
図２Ｅは、本明細書において記述されている様々な例による電力監視プローブ１７０の側面図である。図示のように、プローブ１７０は、センサ回路１０１と、ハウジング１１０と、装着組立体１６０と、を具備する。センサ回路１０１は、任意の特定のタイプのセンサ回路に限定されるものではなく、且つ、本明細書において記述されているセンサ回路のいずれか、或いは、その均等物を具備してもよい。センサ回路１０１は、ハウジング１１０によって固定されており、この場合に、ハウジング１１０は、装着組立体１６０に機械的に結合されている。ハウジング１１０は、センサ回路１０１を固定する任意の特定の構成に限定されるものではなく、且つ、例えば、ハウジング１１０及び図２Ａ〜図２Ｄとの関係において上述した構成のいずれかを使用することにより、センサ回路１０１を固定してもよい。図２Ｅにおいては、ハウジング１１０は、クリップ組立体１２０をハウジング１１０に固定するための結合フィンガ１０８を有する代わりに、図２Ｅに示されているように、ハウジング１１０の下部表面１０６Ｂに機械的に結合された装着組立体１６０を具備する。様々な例において、装着組立体１６０は、接着剤（図２Ｅには、示されていない）を使用することにより、ハウジング１１０の下部表面１０６Ｂに機械的に結合されている。様々な例において、装着組立体１６０は、保持クリップ又はねじ（図２Ｅには、示されていない）などの一つ以上の留め具を使用することにより、ハウジング１１０の下部表面１０６Ｂに機械的に結合されている。様々な例において、装着組立体１６０は、ハウジング１１０の少なくとも下部部分１０６と同一片として形成されており、且つ、従って、ハウジング１１０を形成している断片又は材料の継続部であることにより、ハウジング１１０に「機械的に結合」されている。
【００６１】
図示のように、装着組立体１６０は、直立部分１６２の第一端部に結合された上部フランジ１６１と、直立部分１６２の第二端部に結合された下部フランジ１６３と、を含み、直立部分の第二端部は、第一端部の反対側である。上部フランジ１６１は、ハウジングの下部１０６に接触するように、或いは、その一部として形成されるように、機能可能な平坦な表面を形成している。下部フランジ１６３は、上部フランジ１６１に対して平行に延在し、且つ、上部フランジ１６１のエッジを超えて外向きに延在する平坦な表面を形成している。様々な例において、上部フランジ１６１及び下部フランジ１６３の両方に結合された直立部分１６２は、垂直プレーンであり、且つ、上部フランジ１６２と下部フランジ１６３との間に空間１６７を生成するべく、上部フランジ１６１を下部フランジ１６３から離隔させている。様々な例において、下部フランジ１６３は、一つ以上のスルーホール１６４を具備する。スルーホール１６４は、提供された際に、ねじ又はリベットなどの留め具（図２Ｅには、示されていない）が、下部フランジ１６３と、従って、プローブ１７０と、をブロック１６５に固定するべく使用されることを許容する。様々な例において、留め具を使用する代わりに又はこれに加えて、下部フランジ１６３は、ブロック１６５と下部フランジ１６３との間において提供された接着剤層１６６を使用することにより、ブロック１６５に機械的に固定されてもよい。様々な例において、接着剤層１６６は、電磁波エネルギーを伝達するシリコングリスなどの材料である。様々な例において、ブロック１６５は、電気回路の一部分として提供され且つ電気回路において電気導体として機能する電気バスバー、接地バス、又は端子ブロックなどの材料のブロックである。
【００６２】
ブロック１６５に装着された際に、プローブ１７０は、ブロック１６５を通じた電流フローを監視し、且つ、ブロック１６５において流れる電流のレベルを通知するデータを一つ以上の外部装置（図２Ｅには、示されていない）に無線送信するように構成されてもよい。様々な例において、センサ回路１０１をブロック１６５に隣接した状態において且つこれから既定の距離又は既定の距離の範囲において位置決めする空間１６７によって提供される間隔は、センサ回路１０１が、ブロック１６５を通じて流れる電流のレベルを適切に感知することを許容するべく、寸法設定されている。様々な例において、センサ回路１０１は、温度などの更なるパラメータを感知し、且つ、感知された更なるパラメータを通知するデータを一つ以上の外部装置（図２Ｅには、示されていない）に無線送信するように構成されている。
【００６３】
図２Ｆは、本明細書において記述されている様々な例による電力監視プローブ１８０の側面図である。図示のように、プローブ１８０は、ハウジング１８１と、ハウジング１８１に機械的に結合されたクリップ組立体１８２と、を具備する。クリップ組立体１８２は、クリップ部材１８４、１８５を具備し、これらは、フレキシブルな弾性を有し、且つ、保持エリア１８３を部分的に封入している。クリップ部材１８４、１８５は、電気導体の一部分が保持エリア１８３において受け入れられることを許容するべく、互いに離れるように外向きに曲がるように構成されている。電気導体の一部分が保持エリア１８３において完全に受け入れられた際に、クリップ部材１８４及び１８５は、クリップ部材１８４、１８５が、プローブ１８０を電気導体に着脱自在に装着されるように構成されたクランピング力により、エリア１８３において受け入れられた電気導体の部分に接触する時点まで、互いに向かって内向きに曲がって戻るように構成されている。
【００６４】
プローブ１８０のハウジング１８１は、クリップ組立体に最も近接した第一位置、第一位置の上方の第二位置、及び第二位置の上方の、且つ、クリップ組立体から最も離れて配置された第三位置という、相互に上下の関係において垂直方向において積層された三つの別個の位置を具備する。プローブ１８０において、センサ回路１８６、無線送信回路１８７、及び電池１８８は、互いに電気的に結合された別個の装置として提供されている。様々な例におけるセンサ回路１８６は、図２Ａ〜図２Ｅとの関係において図示及び上述したセンサ回路１０１の例のうちのいずれかを具備する。図２Ｆに示されているように、センサ回路１８６は、ハウジング１８１の第一位置において配置されており、無線送信回路１８７は、ハウジング１８１の第二位置において、且つ、クリップ組立体１８２との関係においてセンサ回路１８６の上方において、配置されている。これに加えて、電池１８８は、ハウジング１１０の第三位置において配置されており、この位置は、電池１８８を無線送信機１８７及びセンサ回路１８６の両方の上方において配置している。この構成の一つの利点は、ハウジング１８１におけるセンサ回路１８６及び無線送信機１８７の位置との関係においてこれらの装置を移動させるか又はその他の方法でこれらを物理的に妨害する必要性を伴うことなしに、プローブ１８０内の電池の交換のためのアクセスを含む電池１８８に対するアクセスが許容されているという点にある。
【００６５】
図２Ｇは、本明細書において記述されている様々な例による電力監視プローブ１９０の側面図である。図示のように、プローブ１９０は、ハウジング１９１と、ハウジング１９１に機械的に結合されたクリップ組立体１９２と、を有する。クリップ組立体１９２は、クリップ部材１９４、１９５を有し、これらは、フレキシブルな弾性を具備し、且つ、保持エリア１９３を部分的に封入している。図２Ｇに示されているように、電気導体１９３Ａが、保持エリア１９３において受け入れられている。クリップ部材１８４、１８５は、電気導体の一部分が保持エリア１９３において受け入れられることを許容するべく、互いに離れるべく外向きに曲がるように構成されている。電気導体の一部分が、電気導体１９３Ａとの関係において図示されているように、保持エリア１９３において完全に受け入れられた際には、クリップ部材１９４及び１９５は、クリップ部材１９４、１９５が、プローブ１９０を電気導体１９３Ａに着脱自在に装着するように構成されたクランピング力により、保持エリア１９３において受け入れられた電気導体１９３Ａの部分に接触する時点まで、互いに向かって内向きに曲がって戻るように構成されている。
【００６６】
プローブ１９０のハウジング１９１は、クリップ組立体に最も近接した第一位置１９７、第一位置１９７の上方の第二位置１９８、及び第二位置１９８の上方の、且つ、クリップ組立体１９２から最も遠く離れて配置された第三位置１９９という、相互に上下の関係において垂直方向において積層された三つの位置１９７、１９８、及び１９９を具備する。プローブ１９０においては、センサ回路、無線送信回路、及び電池が、すべて、単一の装置１９６として提供されており、この場合に、装置１９６は、装置１９６が、位置１９７、１９８、又は１９９のいずれか一つにおいて位置決めされ得るように、寸法設定されている。様々な例における装置１９６は、図２Ａ〜図２Ｅとの関係において図示及び上述したセンサ回路１０１の例のうちのいずれかを具備する。図２Ｇに示されているように、装置１９６は、ハウジング１９１の第一位置１９７において配置されている。この位置においては、装置１９６のセンサ回路は、電気導体１９３Ａを通じた電流フローの検出に最高の感度を有し得る。いくつかの例における位置１９７における装置１９６の位置決めは、電流感知用途が、例えば、０〜３０アンペアの範囲内などのように、低レベルの電流範囲における電流の感知を必要としている際に、選択されてもよい。その他の例においては、装置１９６は、第二位置１９８において、或いは、代替肢においては、第三位置１９９において、位置決めされてもよい。第二位置１９８における装置１９６の位置決めは、電流感知用途が、例えば、０〜５０アンペアの範囲などのように、中間レベルの電流範囲における電流の感知を必要としている際に、選択されてもよい。第三位置１９９における装置１９６の位置決めは、電流感知用途が、例えば、０〜１００アンペアの範囲内などのように、ハイレベルな電流範囲内の電流の感知を必要としている際に、選択されてもよい。この構成の一つの利点は、装置１９６が、異なるレベルの感度を必要としている様々な異なる感知動作において使用されることを許容しているという点にあるが、この場合に、装置１９６のセンサ回路は、電流の感知に関係する固定された又は予め設定された範囲の感度を具備する。
【００６７】
様々な例において、装置１９６は、較正手順を使用することにより、電気導体１９３を通じて流れる電流の計測との関係において較正されてもよい。例えば、一つ以上の既知のレベルの電流フローが電気導体１９３Ａを通じて提供されてもよい。それぞれの既知のレベルの電流フローが電気導体１９３Ａを通じて提供されるのに伴って、電流フローを感知し、且つ、感知された電流フローに対応したデータを送信するように、装置１９６をトリガする。次いで、感知された電流フローに対応した装置１９６によって提供されるデータを既知の電流フロー値と比較することが可能であり、且つ、既知の電流フローが電気導体１９３Ａを通じて提供された際に装置１９６によって提供された感知された電流フローが、既知の電流フローの値とマッチングするように装置１９６を調節するべく、必要に応じて、一つ以上の較正調節パラメータを判定することができる。様々な例において、較正調節パラメータは、装置１９６に無線送信されてもよく、この場合に、装置１９６は、較正調節パラメータを受信してもよく、且つ、電気導体１９３Ａを通じた電流フローを感知した際に更に取得された感知された電流計測値にこれらの較正調節パラメータを適用してもよい。
【００６８】
図２Ｈ、図２Ｊ、及び図２Ｋは、本明細書において記述されている様々な例による電力監視プローブ２００の様々な図である。図２Ｈは、電力監視プローブ２００と、電力監視プローブ２００が付加されるように構成された例示用の電気導体１５０と、の斜視図を示している。図２Ｊは、電力監視プローブ２００の第一側面図を示しており（図２Ｈにおいて矢印２２１Ａによって示されている方向において電力監視プローブ２００に向かって観察している）、且つ、図２Ｋは、電力監視プローブ２００の第二側面図を示している（図２Ｈにおいて矢印２２１Ｂによって示されている方向において電力監視プローブ２００に向かって観察している）。
【００６９】
図２Ｈに示されているように、プローブ２００は、第一クリップハンドル２０６を含む第一クリップ部材２０２を具備するクリップ組立体２０１を具備し、第一クリップ部材２０２は、第二クリップ部材２０４に機械的に結合されており、第二クリップ部材２０４は、第二クリップハンドル２０８を含む。第一クリップ部材２０２及び第二クリップ部材２０４は、例示用の電気導体１５０などの電気導体を保持エリア２０５において受け入れ、且つ、電力監視プローブ２００を電気導体に付加するべく、保持エリア２０５において受け入れられた電気導体の部分に力を作用させるように構成された部分的に封入された保持エリア２０５を形成している。例えば、第一クリップハンドル２０６及び第二クリップハンドル２０８を互いに向かって押圧することにより、クリップ部材２０２、２０４が押圧され、これにより、第一クリップ部材２０２及び第二クリップ部材２０４によって部分的に封入されている保持エリア２０５を拡大させ、これにより、クリップ組立体２０１が、例示用の電気導体１５０などの電気導体の一部分を保持エリア１５０内に受け入れることを許容し得るように、第一クリップ部材２０２は、第二クリップ部材２０４に機械的に結合されている。
【００７０】
第一クリップハンドル２０６及び第二クリップハンドル２０８を互いに向かって押圧する力が、もはや、これらのクリップハンドルに作用していない際には、クリップ組立体２０１は、保持エリア２０５において封入された部分的なエリアのサイズを低減するべく、第一クリップ部材２０１及び第二クリップ部材２０４を互いに向かって押圧するスプリング力などの力を作用させるように、構成されている。クリップ組立体２０１が、この方式により、クリップ部材２０２、２０４を互いに向かって押圧し、且つ、例示用の電気導体１５０などの電気導体の一部分が、保持エリア１５０において完全に受け入れられた際に、クリップ部材２０２及び２０４は、保持エリア１５０において受け入れられた電気導体１５０の部分の外周又は寸法を完全に又は部分的に取り囲み、且つ、クリップ組立体２０１を電気導体１５０に付加するべく、保持エリア２０５において受け入れられている電気導体１５０の部分に対して力を作用させるように、構成されている。クリップ組立体２０１によって保持エリア２０５において受け入れられた電気導体１５０の部分に対して作用する力は、例えば、それぞれ、第一及び第二クリップ部材２０２、２０４のうちの一方又は両方において埋め込まれた又はその他の方法でこれらに結合されたスプリング（図２Ｊには、示されていない）によって提供されてもよい。
【００７１】
図２Ｈに示されているように、クリップ組立体２００は、クリップ組立体２００が電気導体に付加された際に、センサ回路が、例示用の電気導体１５０などの電気導体に隣接した状態において配置されることを許容する方式によってクリップ組立体２００に機械的に結合されたセンサ回路２０１を更に具備する。センサ回路２０１は、いずれかの特定のタイプのセンサ回路に限定されるものではなく、且つ、様々な例において、図２Ａ〜図２Ｅとの関係において記述したセンサ回路１０１のいずれかであってもよい。様々な例において、センサ回路２０１は、電流を感知し、且つ、感知された電流に対応した出力信号を提供するように構成されたセンサ２１０Ａと、センサ２１０Ａから出力信号を受信し、且つ、データを一つ以上の外部装置（図２Ｈには、示されていない）に無線送信するべく動作可能な無線送信回路２１０Ｂと、を含み、データは、センサ２１０Ａによって感知された電流に関係するデータ及びその他の情報を具備する。様々な例において、センサ回路２１０は、センサ回路２１０Ａ及び無線送信回路２１０Ｂの動作用の電力を提供するように構成された電池を含む。代替例においては、センサ回路２１０は、電力監視プローブ２００が装着された例示用の電気導体１５０などの電気導体から電力を取得し、且つ、これにより、電池を提供する必要性を除去するか、或いは、電力ハーベスティング回路によって提供されると共にセンサ回路２１０を動作させるために必要とされる電力を提供するべく利用可能なコンデンサなどの電気エネルギーを保存する能力を有する充電式電池又はその他のタイプの装置の使用を許容するように構成された電力ハーベスティング回路２１０Ｃを含む。
【００７２】
図２Ｋは、電力監視プローブ２００の第一側面図を示している。図示のように、第一クリップ部材２０２及び第二クリップ部材２０４は、電気導体の一部分が開口部２０７を通過し、且つ、保持エリア２０５において受け入れられることを許容する開口部２０７を具備する。図２Ｊに示されているように、第一クリップハンドル２０６及び第二クリップハンドル２０８は、互いに向かって作動させられた状態にあり、これにより、保持エリア２０５内への、電気導体１５０などの、且つ、例示を目的として電気導体１５０として示されている、電気導体の一部分の挿入を許容するために、第一クリップ部材２０２と第二クリップ部材２０４との間の開口部２０７の寸法を拡大させるべく、ピン２２３を中心とした回転力が生成されている。電気導体の一部分が保持エリア２０５において受け入れられたら、埋め込まれた又はその他の方法でクリップ組立体２０１に機械的に結合されたスプリング２２６によって表されるスプリング力は、クリップ組立体２０１を電気導体に付加する方式で、クリップ部材２０２、２０４が、保持エリア２０５において受け入れられた電気導体の部分に対して力を作用させるように、第一クリップ部材２０２及び第二クリップ部材２０４を互いに向かって押圧するように、構成されている。様々な例において、クリップ部材２０２、２０４のうちの一方又は両方は、隆起部２０９として示されていると共に、クリップ組立体２０１が、クリップ部材２０２、２０４との接触状態となった電気導体の部分に対して保持力を作用させることを支援する方式で構成された隆起部又はその他の形状を電気導体に対向しているクリップ部材の内部表面上において具備してもよい。当業者に理解されるように、電気導体が保持エリア２０５において完全に受け入れられた際に、上述のようにセンサ回路２１０のいずれかの例を具備するセンサ回路２１０は、電気導体に隣接した場所に配置され、且つ、従って、限定を伴うことなしに、電気導体を通じた電流フローなどの電気導体と関連する一つ以上のパラメータを感知するように、構成されてもよい。図２Ｊに示されている側面図において、センサ回路２１０Ａは、保持エリア２０５において受け入れられた電気導体に直接的に隣接した状態となり、且つ、無線送信回路２１０Ｂは、センサ回路２１０Ａに直接的に隣接した状態であってもよい。
【００７３】
図２Ｊは、電力監視プローブ２００の第二側面図を示している。図示のように、第一クリップ部材２０２及び第二クリップ部材２０４は、電気導体の一部分が、開口部２０７を通過し、且つ、保持エリア２０５において受け入れられることを許容する開口部２０７を具備する。図２Ｋに示されているように、第一クリップハンドル２０６及び第二クリップハンドル２０８が、互いに向かって作動させられた状態にあり、これにより、図２Ｊとの関係において上述した方式で、保持エリア２０５内への電気導体の一部分の挿入を許容するために、第一クリップ部材２０２及び第二クリップ部材２０４の間の開口部２０７の寸法を拡大させるべく、ピン２２３を中心とした回転力が生成されている。電気導体が保持エリア２０５において完全に受け入れられた際に、上述のセンサ回路２０１のいずれかの例を具備するセンサ回路２１０は、電気導体に隣接した場所に配置され、且つ、従って、限定を伴うことなしに、電気導体を通じた電流フローなどの電気導体と関連する一つ以上のパラメータを感知するように構成されてもよい。図２Ｋに示されている側面図においては、様々な例において、センサ回路２１０は、電気導体が保持エリア２０５において受け入れられた際に、電力ハーベスティング回路２０１Ｃが、保持エリア２０５において受け入れられた電気導体の部分に隣接した位置に配置され、且つ、電力ハーベスティング回路が、電気導体に直接隣接した状態において配置され得るように、構成された電力ハーベスティング回路２１０Ｃを具備する。
【００７４】
図２Ｌは、本明細書において記述されている様々な例によるキット２００Ｄを示している。図示のように、キット２００Ｄは、センサチップ１０１Ｋと、ハウジング１１０Ｋと、例示用のクリップ組立体１２２Ａ〜１２２Ｃ及び／又は例示用のクリップ組立体２００Ａ〜２００Ｃを具備する複数のクリップ組立体と、を具備する。センサチップ１０１Ｋは、上述のセンサチップ１０１であってもよく、且つ、上述の特徴のいずれかを含んでもよく、且つ、センサチップについて本明細書において記述されている機能の任意の組合せを提供してもよい。いくつかの例におけるハウジング１１０Ｋは、上述のハウジング１１０であり、上述の特徴のいずれかを提供し、且つ、ハウジング１１０との関係において記述した機能のいずかを実行するように、構成されてもよい。クリップ組立体１２２Ａ〜１２２Ｃは、それぞれ、ブロック１２２Ａ〜１２２Ｃを含み、ここで、ブロック１２２は、ハウジング１１０及びセンサチップ１０１との関係において上述したものと同一の方式によってハウジング１１０Ｋに結合されるように構成されている。但し、クリップ組立体１２２Ａ〜１２２Ｃのそれぞれは、異なると共に、いくつかの例においては、オーバラップしているサイズ範囲の電気導体に付加されるように構成されたクリップ部材を具備する。例えば、クリップ組立体１２２Ａは、クリップ組立体１２２Ｂが付加されるべく構成されている電気導体のサイズ範囲よりも小さな外部寸法を有する範囲の電気導体に付加されるように構成されている。クリップ組立体１２２Ｃは、クリップ組立体１２２Ｂが結合されるように構成されている電気導体のサイズ範囲を上回る外部寸法を有する範囲の電気導体に付加されるように構成されている。従って、キット２００Ｄを使用することにより、いくつかの例においては、センサ回路１０１は、ハウジング１１０Ｋのエリア１１１Ｋにおいて受け入れられてもよく、且つ、クリップ組立体１２２Ａ〜１２２Ｃのうちの選択された一つは、選択されたクリップ組立体のブロック１２２をハウジング１１０Ｋのエリア１１２Ｋにおいて受け入れることにより、ブロック１２２を通じてハウジング１１０Ｋに結合されるように、選択されてもよい。この結果、キット２００Ｄによって提供される部分を使用することにより、同一のセンサチップ及び同一のハウジングが、外部寸法の範囲を有する様々な電気導体に対して結合され得る。
【００７５】
一代替例においては、キット２００Ｄは、クリップ組立体の組２００Ａ〜２００Ｃを含んでもよく、この場合に、クリップ組立体２００Ａ〜２００Ｃは、クリップ組立体２０１について上述したクリッピング構成などのスプリングによって張力が印加されたクリップ留めメカニズムを有するクリップ組立体を具備する。クリップ組立体２００Ａ〜Ｃのそれぞれは、異なると共に、いくつかの例においては、オーバラップしている範囲の外部寸法を有する電気導体の範囲にクリップ留め（付加）されるように、構成されている。例えば、クリップ組立体２００Ａは、クリップ組立体２００Ｂが付加されるように構成され得る電気導体のサイズ範囲を下回る外部寸法を有する電気導体の範囲に付加されるように、構成されている。クリップ組立体２００Ｃは、クリップ組立体２００Ｂが結合されるように構成された電気導体の範囲を上回る外部寸法を有する電気導体の範囲に付加されるように、構成されている。更には、クリップ組立体２００Ａ〜Ｃのそれぞれは、センサチップ１０１Ｋなどのセンサチップを受け入れ、且つ、センサチップをクリップ組立体において固定するように、構成されている。この結果、キット２００Ｄからクリップ組立体２００Ａ〜２００Ｃのうちの一つを選択することにより、センサチップ１０１Ｋを異なる外部寸法の範囲を有する様々な電気導体に結合することができる。キット２００Ｄの様々な例において、クリップ組立体１２２Ａ〜１２２Ｃ及びクリップ組立体２００Ａ〜２００Ｃによって表されているクリップ組立体の両方のタイプは、それぞれのクリップ組立体の様々な量において、且つ、キットにおいて提供されているクリップ組立体のそれぞれのタイプのそれぞれのサイズごとに、提供されてもよい。様々な例において、センサチップ１０１Ｋには、キット２００Ｄが提供されていない。
【００７６】
図３は、本明細書において記述されている様々な例による電力監視プローブを具備する例示用の配電システム２００を示すブロックダイアグラムである。図示のように、システム２００は、外部装置２４０に通信自在に結合されたプローブ２０２を含む。プローブ２０２は、例示用の電気導体２７０の一部分に隣接した状態において、且つ、（矢印２７２によって示されている）その既定の距離において、配置され、且つ、電気導体２７０を通じた電流フローを含む電気導体２７０に関係する一つ以上のパラメータを感知するように、構成されている。様々な例において、プローブ２０２は、プローブ２０２の近傍における周辺温度を感知するように構成されている。プローブ２０２は、特定のタイプのプローブ又は特定の物理的構成を有するプローブに限定されるものではない。様々な例において、プローブ２０２は、図１において示され且つこれとの関係において記述したプローブ２６〜３３及び５４〜６１、図２Ａ〜図２ｄに示され且つこれらとの関係において記述したプローブ１００、図２Ｅに示され且つこれとの関係において記述したプローブ１７０、図２Ｆに示され且つこれとの関係において記述したプローブ１８０、或いは、図２Ｇに示され且つこれとの関係において記述したプローブ１９０のいずれかである。これに加えて、図３には、一つのプローブ２０２のみが示されているが、システム２００は、単一のプローブを具備することに限定されるものではなく、且つ、システム１０との関係において上述した、且つ、図１に示されている、ものなどの複数のプローブを具備してもよい。
【００７７】
再度図３を参照すれば、システム２００のプローブ２０２は、稲妻２３０によって表されているデータ又はその他の情報を外部装置２４０に無線送信するように構成されている。プローブ２０２から外部装置２４０への無線通信用のフォーマットは、任意の特定のフォーマットに限定されるものではなく、且つ、本明細書において記述されている無線送信フォーマットのいずれかを含んでもよい。
【００７８】
図３Ａは、本明細書において記述されている様々な例による図３の通信装置及びシステムの様々な詳細を示す概念図である。図３Ａに示されているように、電力監視プローブ２０２Ｘ及び２０２Ｙを含むマルチプローブシステムが、図３の例示用の通信システムとの関係において示されている。プローブ２０２Ｘ及び２０２Ｙは、図３に示されているプローブ２０２を含む本開示の全体を通じて記述されている電力監視プローブのうちのいずれかのものの例であってもよく、且つ、これらの電力監視プローブのいずれかとの関係において記述されている特徴及び機能のうちのいくつか又はすべてを提供してもよい。図３Ａにおいては、プローブ２０２Ｘ及び２０２Ｙのそれぞれは、それぞれ、計測及び送信セクション２１０Ｘ、２１０Ｙを含む。計測及び送信セクション２１０Ｘ及び２１０Ｙは、図２Ｈ及び図２Ｊとの関係において図示及び記述されているセクション２１０Ａ、Ｂとの関係において記述した機能のいずれかを含む本開示を通じて記述されている計測及び無線通信機能のいずれかを実行するように構成されている。又、図３Ａに示されているように、プローブ２０２Ｘ及び２０２Ｙのそれぞれは、それぞれ、プローブ２０２Ｘ及び２０２Ｙがそれぞれ結合された電気導体から電力を取得するように構成された電力ハーベスティングチップ２１１Ｘ及び２１１Ｙを含む。電力ハーベスティングチップ２１１Ｘ及び２１１Ｙは、例えば、図２Ｈ及び図２Ｋとの関係において図示及び記述されている電力ハーベスティングチップ２１０Ｃとの関係において記述した電力ハーベスティング機能を含む本開示の全体を通じて記述されている電力ハーベスティング機能のいずれかを実行するように構成されてもよい。
【００７９】
図３Ａに示されている様々な例において、プローブ２０２Ｘからのデータ２０３Ｘの無線送信及びプローブ２０２Ｙからのデータ２０３Ｙの無線送信は、ＩＥＥＥ８０２．１１ａ／ｂ／ｇ／ｎプロトコルを介してＷｉＦｉ接続通信を使用するように構成されている。様々な例において、データの無線送信は、Ｂｌｕｅｔｈｏｏｔｈ（登録商標）（更新された際に、Ｂｌｕｅｔｏｏｔｈ  ＳＩＧ規格及びＩＥＥＥ８０２．１５．１によって規定及び管理されている）、ＩＥＥＥ８０２．１５．４に基づいたＺｉｇｂｅｅ（登録商標）、改良型Ｚｉｇｂｅｅ（登録商標）を使用するように構成されている。いくつかの例においては、プローブ２０２Ｘ、２０２Ｙから２５フィート〜５０フィートにおいて配置されたホスト２４２Ａと通信することになるＢｌｕｅｔｏｏｔｈ（登録商標）の低エネルギートランシーバ装置がプローブ構造に埋め込まれることになる。プローブのＢｌｕｅｔｏｏｔｈホスト２４２Ａは、ＷｉＦｉ又はＥｔｈｅｒｎｅｔを介して、ＤＣＩＭコンピュータ２５１Ｘなどのマスタホストと通信することになる。マスタホスト２５１Ｘとの間における通信は、ネットワークの一部分としてのＷｉＦｉルータ２４４Ｂを通じたものであってもよく（例えば、図３のネットワーク２４４）、或いは、サーバ２４６Ａ（図３に示されているサーバ２４６など）に対する管理されたスイッチ２４４Ａを通じたものであってもよく、この場合に、サーバ２４６Ａは、一つ以上のＷｉＦｉルータを通じてマスタホスト２５１Ｘと通信してもよい。様々な例におけるマスタホスト２５１Ｘは、図３との関係において図示及び記述したように、コンピュータ装置２５１であり、且つ、コンピュータ装置２５１との関係において上述した機能及び特徴のうちのいくつか又はすべてを提供してもよい。いくつかの例においては、それぞれのＢｌｕｅｔｏｏｔｈプローブは、構成及び又はプログラムされ、且つ、分岐回路名が付与されることになる。様々な例において、プローブは、Ｚｉｇｂｅｅ（登録商標）ゲートウェイと通信している。データをゲートウェイに伝達及び送信することになるそれぞれのプローブには、ノード番号が割り当てられることになる。それぞれのＺｉｇｂｅｅ（登録商標）ゲートウェイは、サーバと通信するマスタホストと通信することになる。様々な例において、データの送信は、例えば、電力線搬送法を使用することにより、プローブが付加される電気導体を通じて送信されるように構成されている。
【００８０】
図３を再度参照すれば、プローブ２０２から外部装置２４０に送信されるデータ及び／又は情報のタイプは、任意の特定のデータに、或いは、任意の特定のタイプの情報に、限定されるものではなく、且つ、本明細書において記述されているデータ又は情報のいずれかを含んでもよい。例えば、プローブ２０２から外部装置２４０に送信されるデータは、電気導体２７０を通じて流れる電流の一つ以上の感知されたレベルに関するデータを含んでもよい。様々な例において、プローブ２０２から外部装置２４０に送信されるデータは、プローブ２０２によって感知された温度に関係するデータを含んでもよい。様々な例において、プローブ２０２から外部装置２４０に送信される情報は、プローブ２０２によって提供されたものとして無線送信を識別する連番又は何らかのその他のタイプのデータを具備する。この情報は、図１のシステム１０において示されているものなどの複数のプローブのすべてが、様々な時点において、データを外部装置２４０に送信しており、いくつかの例においては、同一の期間において二つ以上のプローブからオーバラップした送信を提供しているシステムにおいて利用されてもよい。プローブから送信される連番又はその他のタイプの識別データは、外部装置２４０が、データを提供したプローブと受信したデータを関連付けることを許容する。
【００８１】
様々な例において、プローブ２０２から外部装置に送信されるデータは、プローブ２０２によって感知された感知パラメータと関連する日付及び時刻情報を含んでもよい。それぞれのプローブは、監視対象の分岐回路と関連するＢｌｕｅｔｏｏｔｈ（登録商標）装置名を有することになる。装置が、ＷｉＦｉを介して通信するように構成されている際には、装置は、分岐回路識別子名（ＳＩＤＥ）を有することになる。ＩＥＥＥ１５．４（Ｚｉｇｂｅｅ）又は電力線搬送が使用される際には、装置は、ノードアドレスを有することになる。
【００８２】
様々な例において、情報は、外部装置２４０からプローブ２０２に送信されてもよい。このような情報は、プローブ２０２によって実行されるべき感知機能のうちの一つ以上を制御するパラメータを含む。例えば、プローブ２０２に送信される情報は、プローブ２０２が、電流フローを感知するための、温度を感知するための、且つ／又は、電流及び温度の両方を感知するための、サンプルレートなどの電気導体２７０と関連する一つ以上の感知パラメータをサンプリングするべきレートを決定する一つ以上の感知パラメータを含んでもよい。プローブは、Ｂｌｕｅｔｏｏｔｈを介して構成することが可能であり、且つ、その望ましい電流範囲において動作するようにプログラムすることもできる。プローブの回路名をプログラムすることができる。又、これに加えて、プローブから無線送信されるように、温度データを設定することもできる。
【００８３】
図示のように、プローブ２０２は、電源２１８に結合されたセンサ回路２１０を含む。様々な例において、電源２１８は、センサ回路２１０に着脱自在に結合され且つセンサ回路２１０に電力供給するための動作電圧及び電流の供給源を提供する腕時計タイプの電池などの電池である。センサ回路２１０に着脱自在に結合された際に、電源２１８は、電源２１８が、電気放電された状態になった際には、且つ／又は、もはや十分な電圧／電力をセンサ回路２１０に提供できない際には、除去され、且つ、除去された電源２１８に等価な新しい装置によって交換されるように、構成されている。様々な例において、電源２１８は、センサ回路２１０に電力供給するべく、出力電圧として、４．５ボルトの電圧レベルを提供するように構成された電池である。いくつかの例においては、電源２１８は、着脱自在の電池ではなく、且つ、消費された際に、交換可能になるように意図されてはいない公称動作寿命を有するプローブ２０２内に永久的に内蔵された電池などの電源である。様々な例において、電源２１８は、誘導充電装置（図３には、示されていない）などの外部装置によって定期的に充電され得る蓄電池などの充電式装置となるように構成されている。
【００８４】
図示のように、センサ回路は、センサ２１２と、信号処理２１４と、トランシーバ２１６と、クロック２２０と、プロセッサ２２２と、メモリ２２４と、を具備する。様々な例において、これらのブロックのそれぞれは、電源２１８に結合されており、且つ、そのブロックによって提供される機能を稼働及び実行するべく、電源２１８から電力を受け取っている。様々な例において、センサ回路２１０のこれらのブロックのそれぞれは、信号、データ、及びその他の情報が、これらのブロックの間において伝達されることを許容するべく、互いに通信自在に結合されている。
【００８５】
様々な例において、センサ２１２は、電流フローを感知し、且つ、その感知された電流フローを表す出力信号を提供するべく、動作可能な少なくとも一つの装置を具備する。様々な例において、センサ２１２は、磁界と関連する磁束密度などのパラメータを感知し、且つ、感知された磁界のパラメータを通知する出力電圧などのホール効果装置からの出力を提供するように構成されたホール効果装置を具備する。当業者に理解されるように、電気導体２７０などの電気導体を通過する電流は、電気導体の近傍の且つ外部のエリアを取り囲む磁界を生成する。電気導体からの任意の所与の距離における磁界の強度は、電気導体のその部分を通じて流れている電流のレベルによって決定される。電気導体から既定の距離において又は既定の距離の範囲において電気導体に隣接した状態においてホール効果装置を配置することにより、電気導体を通じた電流フローに起因して電気導体の周りにおいて提供される磁界の強度をホール効果装置によって感知することができる。感知された磁界の強度を出力電圧信号に変換することにより、ホール効果装置は、電気導体を通じて流れる電流を通知する電圧値を有する出力電圧信号を提供するように構成することができる。様々な例において、センサ回路２１０のセンサ２１２は、電気導体２７０に隣接した、且つ、これから既定の距離における、或いは、これから既定の距離の範囲内の、磁界の強度を感知し、且つ、磁界の強度を通知する出力電圧信号を提供するように構成された少なくとも一つのホール効果装置を具備する。
【００８６】
様々な例において、センサ２１２は、温度センサを含む。当業者には理解されるように、サーミスタなどの様々な装置は、装置の温度との関係において何らかの既知の方式で変化する電気抵抗などの電気特性を有するように構成されている。従って、これらの装置は、これらの電気パラメータの変動を装置の温度の関数として計測し、且つ、これにより、感知された装置の温度値を判定するべく分析され得る信号を提供する電気回路内に構成することができる。様々な例において、センサ２１２は、感知された温度を通知する出力信号を提供するように構成された少なくとも一つの装置を含む。電気導体２７０などの電気導体における又はその近傍における温度の感知は、電気導体が、その電気導体が設計された又は搬送するべく定格設定された電流のレベルを超過した電流負荷を搬送している旨の通知を提供するべく、何らかのシステムにおいて重要であり得る。これらの過電流状態は、電気エネルギーを熱エネルギーとして散逸するプロセスにおいて、電気導体の加熱を結果的にもたらし得る。電気導体のエリアにおける既定の温度閾値を超過した温度の検出は、電気導体内の過電流／加熱状態の検出において有用であり得る。
【００８７】
信号処理２１４は、センサ２１２に結合されており、且つ、センサ２１２によって提供される一つ以上の出力信号を受け取るように構成されている。信号処理２１４によって実行される信号処理のタイプは、信号処理のいずれかの特定のタイプに限定されるものではない。いくつかの例においては、信号処理は、受信した出力信号から、センサ２１２から受信した出力信号のノイズ又はその他のタイプの劣化であると見なし得る特定の周波数範囲内の信号を除去するべく、高域通過フィルタリング又はノッチフィルタリングなどのフィルタリングを含み得る。様々な例において、信号処理は、センサ２１２によって提供される出力信号の線形化又はその他の形態のスケーリングを含んでもよい。例えば、センサは、対数又は指数信号などの非線形の出力電圧信号を提供する場合があり、且つ、信号処理２１４によって実行される信号処理は、これらの非線形出力信号の線形化を具備する。様々な例において、信号処理は、センサ２１２によって提供される出力信号を何らかの既定のサンプルレートにおいてサンプリングするステップと、一つ以上の信号がサンプリングされる時点における出力信号のうちの一つ以上の信号の値を判定するステップと、を含む。様々な例において、信号処理２１４によって実行される信号処理は、例えば、アナログ電圧信号からデジタル信号への変換による、センサ２１２によって提供される一つ以上の出力信号のアナログ−デジタル（Ａ／Ｄ）変換を含む。
【００８８】
いくつかの例においては、クロック２２０が、センサ回路２１０の動作に必要とされる一つ以上のクロック出力を提供している。いくつかの例においては、クロック２２０は、プロセッサ２２２が実行する動作のレート（クロック速度又はボーレート）を制御するべく、クロック出力をプロセッサ２２２に提供する高周波数発振器を具備する。様々な例において、クロック２２０は、センサ２１２によって提供される感知された信号の日付及び時刻と関連付けられ得る日付及び時刻情報に対応した出力を提供している。この日付及び時刻情報は、いくつかの例においては、この日付及び／又は時刻情報が、プローブ２０２によって提供される無線送信されたデータの一部分として外部装置２４０に送信され得るように、センサ２１２によって提供される感知された信号の値と関連するデータと共に、メモリ２２４において保存されてもよい。
【００８９】
様々な例において、プロセッサ２２２は、実行された際に、センサ回路２１０との関係において本明細書において記述されている機能のうちの一つ以上を実行するメモリ２２４において保存された命令などの命令の組に基づいて動作するように、構成されている。例えば、プロセッサ２２２は、信号処理２１４によって提供される機能のうちの一つ、いくつか、又はすべてを提供するように構成されてもよい。様々な例において、プロセッサ２２２は、センサ２１２によって提供される出力信号のサンプリングのための一つ以上のサンプリングレートを制御する命令を実行している。様々な例において、プロセッサ２２２は、外部装置２４０への送信のために、感知されたパラメータと関係するデータ及びその他の情報をフォーマット及び構成する命令を実行している。
【００９０】
トランシーバ２１６は、任意の特定のタイプの無線トランシーバに限定されてはおらず、且つ、データ及び／又はその他の情報を無線フォーマットにおいて外部装置２４０に送信するように構成されてもよい。様々な例において、トランシーバ２１６は、メモリ２２４において保存されている及び／又はプロセッサ２２２によって提供されるデータ及びその他の情報を受信し、且つ、データ及び／又は情報を外部装置２４０に無線送信するように、構成されている。様々な例において、トランシーバ２１６は、信号処理２１４から直接的に出力信号を含むデータ及び／又はその他の情報を受信し、且つ、データ及び／又は情報を外部装置２４０に無線送信するように、構成されている。
【００９１】
様々な例において、トランシーバ２１６は、入力として無線信号を受信し、且つ、無線信号内に含まれているデータ及び／又は情報をプロセッサ２２２、メモリ２２４、クロック２２０、信号処理２１４、及び／又はセンサ２１２などの装置に提供するように構成されている。様々な例において、トランシーバ２１６は、チップ２０２に結合され、且つ、本明細書において記述されている技法のいずれかを使用してチップ２０２と受信機２４２との間における通信を提供するように構成された無線チップである。
【００９２】
外部装置２４０は、任意の特定のタイプの装置に限定されるものではなく、且つ、任意の特定の数の装置にも限定されない。様々な例において、外部装置２４０は、プローブ２０２から提供される無線送信を受信するように構成された一つ以上の無線受信機２４２を含む。無線受信機２４２は、任意の特定のタイプの受信機に限定されるものではなく、且つ、プローブ２０２によって送信されるタイプの無線信号を受信する能力を有する一つ以上の受信機となるように構成されている。様々な例において、受信機２４２は、一つ以上のプローブを有線ローカルエリアネットワーク（ＷＬＡＮ：Wired Local Area Network）に接続するように構成された無線アクセスポイント（ＷＡ：Wireless Access Point）である。様々な例において、無線受信機２４２は、トランシーバ２１６から無線送信を受信し、且つ、データ及び／又はその他の情報をトランシーバ２１６に無線送信するように構成されたトランシーバである。
【００９３】
様々な例において、受信機２４２は、一つ以上の更なる装置に結合されており、これらの装置は、サーバ２４６、データベース２４８、及びローカルコンピュータ２５０、グローバルコンピュータ２５１、スマートフォン２３２などのモバイル装置、並びに、更なる装置２５２を含み得る。図３に示されているように、受信機２４２は、ネットワーク２４４に結合されており、ネットワーク２４４は、受信機２４２をサーバ２４６に、データベース２４８に、コンピュータ２５０に、且つ、更なる装置２５２に、通信自在に結合するように構成されている。ネットワーク２４４は、任意の特定のタイプのネットワークに限定されるものではなく、且つ、任意の特定のタイプのネットワーク通信プロトコルの提供にも限定されない。いくつかの例においては、ネットワーク２４４は、ローカルエリアネットワーク（ＬＡＮ：Local Area Network）であり、且つ、限定を伴うことなしに、Ethernet、Fast Ethernet、Local Talk、Token Ring、Fiber Distributed Data Interface（ＦＤＤＩ）、及び非同期転送モード（ＡＴＭ：Asynchronous Transfer Mode）を含むプロトコルのうちの一つ以上を使用して通信している。
【００９４】
様々な例において、プローブ２２０から送信されると共に受信機２４２によって受信されるデータ及びその他の情報は、ネットワーク２４４に、且つ、サーバ２４６に、提供されている。サーバ２４６は、データベース２４８における保存のために、データ及びその他の情報をデータベース２４８に提供するように構成されている。これに加えて、データ及びその他の情報は、コンピュータ２５０に提供されてもよい。様々な例において、コンピュータ２５０は、ディスプレイ上において視覚的なフォーマットにおいてデータ及び／又はその他の情報を表示するべく動作可能なビジュアルディスプレイを含む。様々な例において、コンピュータ２５０は、受信機２４２によって提供されたデータ及びその他の情報を分析するべく動作可能なプロセッサ（図３には、示されていない）を具備する。様々な例において、コンピュータ２５０によって実行される分析は、プローブ２０２によって提供された電流値に関係するデータを一つ以上の閾値電流レベルと比較するステップと、電流レベルが、一つ以上の閾値電流レベルによって定義された許容された範囲を上回っているか、或いは、さもなければ、その外にあるものと判定された際に、アラーム出力を提供するステップと、を含む。例えば、コンピュータ２５０は、電気導体２７０を通じた電流フローとの関係において感知された電流レベルを最大許容可能電流閾値と比較してもよく、且つ、電気導体２７０を通じて流れる電流を表す一つ以上のデータ値が最大許容可能電流閾値を上回っている場合に、コンピュータ２５０は、電気導体２７０と関連する過電流アラーム状態を生成するように構成されてもよい。別の例においては、コンピュータ２５０は、電気導体２７０を通じた電流フローとの関係において感知された電流レベルを最小許容可能電流閾値と比較してもよく、且つ、電気導体２７０を通じて流れる電流を表す一つ以上のデータ値が最小許容可能電流閾値未満である場合には、コンピュータ２５０は、電気導体２７０と関連する電流不足又は開路アラーム状態を生成している。このような通知は、開路状態を検出し、即ち、例えば、電気導体２７０に結合されたヒューズ又は回路ブレーカが飛んでいることを検出し、且つ、これにより、電気導体２７０を通じた電流フローに影響を及ぼすべく、有用であり得る。
【００９５】
様々な例において、コンピュータ２５０は、例えば、現場に配置されたローカルコンピュータとして動作しており、この場合に、コンピュータ２５１も、ネットワーク２４４に接続されており、且つ、上述の機能のうちのいくつか又はすべてを実行すると共にコンピュータ２５０との関係において上述した特徴を提供するクローバルコンピュータとして動作している。これに加えて、コンピュータ２５１は、データセンタインフラストラクチャ管理（ＤＣＩＭ：Data Center Infrastructure Management）機能の提供などの様々な高度な機能を実行してもよい。ＤＣＩＭ機能は、任意の特定の機能に限定されるものではなく、且つ、データセンタの稼働、トラック効率の最適化を含んでもよく、且つ、データセンタにおける配電を管理してもよく、且つ、顧客需要に基づいて、データセンタなどのシステムにおいてコンピュータリソース及び配電を割り当ててもよい。又、これに加えて、ＤＣＩＭは、例えば、システム２００によって提供されるリソースの実際の使用法に基づいて課金され得るシステムを使用している顧客に課金される課金及び使用状況を追跡及び管理するべく、プローブ２０２などのプローブから導出された情報と、システム２００に関係するその他の情報と、を利用してもよい。
【００９６】
様々な例において、更なる装置２５２は、ネットワーク２４４に結合されたディスプレイ、アラーム、及び／又は制御装置を含んでもよい。様々な例において、ディスプレイ２５４は、電気導体２７０と関連する感知されたパラメータに関する情報を表示するべく動作可能な一つ以上のビジュアルディスプレイを含む。例えば、ディスプレイ２５４は、例えば、数値を有する表の形態において、或いは、例えば、プローブ２０２によって感知された電気導体２７０内の電流フローのレベルを示す波形の形態において、データを表示するように構成されたグラフィカルビジュアルディスプレイを具備してもよい。様々な例において、グラフィカルビジュアルディスプレイ２５４は、例えば、数値を有する表の形態において、或いは、例えば、プローブ２０２によって感知された温度のレベルを示す波形の形態において、データを表示するように構成されている。様々な例において、ディスプレイ２５４に含まれているグラフィカルビジュアルディスプレイは、プローブ２０２によって感知され且つ外部装置２４０に無線送信される電流フロー及び温度データの両方に関係するデータを表示するように構成されている。
【００９７】
ディスプレイ２５４は、グラフィカルビジュアルディスプレイを具備することに限定されるものではなく、且つ、アナログ又はデジタルメータ、例えば、異なる色の発光ダイオード（ＬＥＤ：Light Emitting Diode）などのインジケータライト、並びに、何らかの状態の視覚的表現及び／又はプローブ２０２から無線送信された又は無線送信されたデータ及び／又は情報の処理及び分析によって導出されたデータ及び／又は情報と関連するその他のデータを提供するように構成可能なその他のタイプの装置などの視覚的通知を提供するその他の形態の装置を具備してもよい。
【００９８】
様々な例において、アラーム２５６は、トリガされた際に、アラーム状態の通知を提供するビジュアルアラーム及び／又はオーディオアラームなどのアラーム装置を具備する。例えば、アラーム２５６は、プローブ２０２によって提供されるデータ及び／又は情報に基づいてアラーム状態が検出された際に、点灯するように構成された一つ以上のインジケータライトを具備してもよい。その他の例においては、アラーム２５６は、例えば、アラーム状態が、プローブ２０２によって提供されるデータ及び／又は情報に基づいて検出された際に、アラームエリア内の人間の操作者によって聴取され得るオーディオ出力を生成するように構成されたホーン（図３には、示されていない）などの一つ以上のオーディオアラームを具備してもよい。様々な例において、アラーム２５６は、ビジュアル及びオーディオアラームの任意の組合せを含んでもよい。
【００９９】
様々な例において、制御装置２５８は、破線矢印２６０によって表されているように、電気導体２７０を含む電気システムと関連する一つ以上の側面を制御するように動作可能な一つ以上の装置を含む。例えば、制御装置２５８のうちの一つ以上は、電子ヒューズ、電子的にトリガ可能な回路ブレーカ、リレー、或いは、電気導体２７０と関連する回路をスイッチオン及び／又はスイッチオフするように制御され得る半導体スイッチリレー（ＳＳＲ：Solid state Switch Relay）を含んでもよい。例示を目的として、制御装置２５８は、スイッチオフされた際に、電気導体２７０と、電気導体１７０に結合された任意の分岐回路と、を電気導体２７０を通じて通常は電流フローを提供している電源（図３には、示されていない）から電気的に接続切断するＳＳＲを具備してもよい。様々な例において、電気導体２７０と関連し得る、或いは、例えば、電気導体２７０を通じた電流フローによって電力供給されている装置と関連し得る、障害状態が検出された場合に、制御装置２５８は、電気導体２７０を通じた電流のフローを提供するように通常は意図されている電源から電気導体２７０を接続切断するように構成されている。電源を接続切断することにより、電気導体２７０を含むシステムに対する更なる損傷、或いは、例えば、電気導体２７０と関連するシステムのエリア内の要員に対する感電の危険などの安全上の危険を回避することができる。
【０１００】
当業者には理解されるように、図３に示されている装置の構成は、例示を目的としており、且つ、多くのその他のこれらの装置の構成及び外部装置２４０に含まれる装置の数及びタイプが、可能であり、且つ、システム２００に含まれている外部装置の例により、想定されている。例えば、受信機２４２は、ネットワーク２４４を通じてコンピュータ２５０に結合されることなしに、コンピュータ２５０に直接的に結合されてもよく、且つ、この場合には、その結果、コンピュータ２５０は、ネットワーク２４４に結合され、且つ、プローブ２０２から受信されるデータ及び／又はその他の情報に関係するその他の外部装置２４０に対してネットワークを通じて出力を提供している。これに加えて、コンピュータ２５０は、更なる装置２５２のうちのいずれか及び／又はすべてのための分析を提供してもよい。一代替例においては、更なる装置２５２のうちの一つ以上は、プローブ２０２から受信されたデータ及び／又は情報を処理し、且つ、更なる装置２５２に含まれている装置と関連する設定及び出力状態を判定するように構成された論理回路及び／又は一つ以上のプロセッサを含む。様々な例において、データベース２４８は、コンピュータ２５０の一部分であり、且つ、コンピュータ２５０の内部においてメモリ（図３には、示されていない）を具備する。
【０１０１】
図４は、本明細書において記述されている様々な技法による方法３００を示すフローチャートである。方法３００は、本明細書においては、図２Ａ〜図２Ｄとの関係において図示及び記述されているように、プローブ１００によって実行されるものとして記述されているが、方法３００は、プローブ１００よる実行に限定されるものではなく、且つ、図１に図示され且つこれとの関係において記述されているプローブ２６〜３２及び５４〜６１、図２Ｅに図示され且つこれとの関係において記述されているプローブ１７０、図２Ｆに図示され且つこれとの関係において記述されているプローブ１８０、図２Ｇに図示され且つこれとの関係において記述されているプローブ１９０、並びに、図３に図示され且つこれとの関係において記述されているプローブ２０２のいずれかにより、全体的に又は部分的に実行されてもよい。
【０１０２】
方法３００の様々な例において、プローブ１００は、電気導体に隣接した状態における、且つ、これから所定の距離における、センサ回路の装着ステップを具備する（ブロック３０２）。様々な例において、センサ回路の装着ステップは、電気導体の一部分が、クリップ組立体の保持エリアにおいて受け入れられるように、クランピング力を電気導体の外部表面上に作用させ、且つ、これにより、クリップ組立体及びセンサ回路を電気導体に固定するように構成されたクリップ組立体を電気導体の一部分上にクリップ留めするステップを具備する。様々な例において、センサ回路の装着ステップは、センサ回路に結合された固定組立体を電気導体に固定するべく接着剤又は接着剤層を使用するステップを具備する。様々な例における電気導体に隣接した状態におけるセンサ回路の装着ステップは、センサ回路が、電気導体から既定の距離において配置されるように、センサ回路を装着するステップ含む。
【０１０３】
様々な例において、方法３００は、電気導体と関連する一つ以上のパラメータを感知するべくプローブ１００のセンサ回路を使用するステップを具備する（ブロック３０４）。様々な例において、電気導体のパラメータを感知するステップは、電気導体を通じた電流フローを感知するべくセンサ回路を使用するステップを具備する。様々な例において、プローブ１００のセンサ回路は、電気導体を通じた電流フローのレベルを示す電気導体を取り囲む磁界の強度を感知し、且つ、感知された磁界の強度に応答して、例えば、電圧出力などの出力信号を提供するように構成されたホール効果装置を具備する。様々な例において、電気導体の電気パラメータを感知するステップは、センサ回路の温度を感知するべくプローブ１００のセンサ回路を使用するステップと、感知された温度を示す電圧出力などの出力信号を生成するステップと、を具備する。
【０１０４】
方法３００の様々な例において、プローブ１００は、一つ以上の感知されたパラメータを示すデータを無線送信するように構成されている（３０６）。様々な例において、データの無線送信は、電気導体と関連するパラメータの感知の結果として受け取られた一つ以上の出力信号に対して一つ以上の信号処理手順を実行するステップを含む。様々な例において、一つ以上の出力信号の信号処理は、一つ以上の出力信号のフィルタリングを含む。様々な例において、一つ以上の出力信号の信号処理は、一つ以上の既定のサンプルレートにおいて一つ以上の信号をサンプリングするステップを含む。様々な例において、一つ以上の出力信号の信号処理は、アナログ信号からデジタル信号への一つ以上の出力信号のアナログ−デジタル変換を含む。様々な例において、一つ以上の出力信号の信号処理は、一つ以上の非線形出力信号の線形化を含む。
【０１０５】
様々な例において、感知されたパラメータを示すデータの無線送信は、所定の期間にわたる一つ以上の電流フローを示す、或いは、感知された電気導体を通じた電流フローから導出されたパラメータを示す、データのプローブ１００による無線送信を含む。様々な例において、感知されたパラメータを示すデータの無線送信は、温度を示す、所定の期間にわたる温度の変動を示す、或いは、プローブ１００によって感知された感知温度から導出されたパラメータを示す、データのプローブ１００による無線送信を含む。様々な例において、感知されたパラメータを示すデータの無線送信は、例えば、感知されたパラメータ値と関連するデータがプローブ１００によって感知された時点に対応した日付及び時刻情報などのその他の情報のプローブ１００による無線送信を含む。様々な例において、その他の情報の無線送信は、プローブ１００に結合された電池及びプローブ１００を動作させるための電力の提供の状態を示す情報を含む。
【０１０６】
図５は、本明細書において記述されている様々な技法による方法４００を示すフローチャートである。方法４００は、本明細書においては、図２Ａ〜図２Ｄに図示され且つこれとの関係において記述されているように、プローブ１００によって、或いは、これとの関係において、実行されるものとして記述されているが、方法４００は、プローブ１００上において又はこれによって実行されることに限定されるものではなく、且つ、図１に図示され且つこれとの関係において記述されているプローブ２６〜３２及び５４〜６１、図２Ｅに図示され且つこれとの関係において記述されているプローブ１７０、図２Ｆに図示され且つこれとの関係において記述されているプローブ１８０、２Ｇに図示され且つこれとの関係において記述されているプローブ１９０、及び図３に図示され且つこれとの関係において記述されているプローブ２０２のいずれかのものの上部において又はこれにより、全体的に又は部分的に実行されてもよい。
【０１０７】
方法４００においては、感知用途用の適切な感知回路を選択するべく、判定が実施されている（ブロック４０２）。様々な例において、適切な感知回路の選択は、電流フロー及び／又は温度などの一つ以上の特定のパラメータを感知するように構成された感知回路の選択を具備する。様々な例において、適切な感知回路の選択は、特定の送信プロトコル又はフォーマットを使用することにより、感知されたパラメータに関係するデータ及び／又はその他の情報の無線送信を提供するように構成された感知回路の選択を具備する。様々な例において、無線送信用の選択されたフォーマットは、データ送信のＷｉＦｉ互換フォーマットである。様々な例において、無線送信用のフォーマットは、ＩＥＥＥＥ８０２．１１規格に準拠したフォーマット及びプロトコルである。
【０１０８】
方法４００の様々な例は、センサ回路ハウジングにおける複数のセンサ回路位置のうちの一つの位置の選択を含む（ブロック４０４）。方法４００の様々な例において、プローブ１００のハウジングは、センサ回路が受け入れられ得る複数の位置においてセンサ回路を受け入れるように構成されており、それぞれの位置は、プローブ１００が電気導体に装着された際に、センサ回路を電気導体から異なる距離において配置する。様々な例において、センサ回路を受け入れるためのセンサ回路位置の選択は、センサ回路と関連する感度パラメータによって決定されている。複数のセンサ回路位置を有するハウジングを含むプローブ１００の例においては、方法４００は、ハウジングにおいてセンサ回路を選択されたセンサ回路位置において位置決めするステップを含む（ブロック４０６）。
【０１０９】
方法４００の様々な例は、プローブ１００のハウジングに結合されるクリップ組立体のタイプ及び／又はクリップ組立体のサイズの選択を含む（ブロック４０８）。様々な例において、クリップ組立体タイプの選択は、クリップ組立体が装着されるように意図された電気導体の一部分における電気導体の形状に基づいたクリップ組立体タイプの選択を含む。いくつかの例においては、電気導体は、プローブ１００が装着されるように意図された電気導体の一部分において、実質的に丸い形状の断面寸法を有する。その他の例においては、電気導体は、例えば、電気導体がバスバーである際には、正方形又は矩形の形状を有しており、正方形又は矩形の形状は、プローブ１００が装着されるように意図された電気導体の部分における電気導体の断面寸法を表している。様々な例において、クリップ組立体は、様々な異なるサイズにおいて提供されており、これらの異なるサイズは、異なるサイズ保持エリアの範囲の一つを具備し、それぞれのサイズは、特定の範囲のワイヤゲージに、且つ／又は、絶縁された又は絶縁されていない電気導体などのように、特定のタイプの電気導体に、適切に装着されるように構成されており、且つ、この場合に、異なるサイズのクリップ組立体は、特定の範囲のワイヤゲージに、或いは、特定のタイプの電気導体に、のみ装着されるように構成されることになろう。
【０１１０】
様々な例において、方法４００は、クリップ組立体をセンサ回路ハウジングに結合するステップを含む。様々な例において、センサ回路の選択、ハウジングにおけるセンサ回路の位置決めは、ハウジングに対するクリップ組立体の結合（ブロック４１０）の前又は後において実行されてもよい。
【０１１１】
様々な例において、方法４００は、電気導体と関連する一つ以上のパラメータについて監視される電気導体にクリップ組立体を固定するステップを含む（ブロック４１２）。様々な例において、方法４００は、電気導体と関連する一つ以上のパラメータを感知するべくプローブ１００を使用するステップを含む（ブロック４１４）。様々な例において、一つ以上の感知されたパラメータは、電気導体を通じた電流フローを含む。様々な例において、一つ以上の感知されたパラメータは、プローブ１００において感知された温度を含む。様々な例において、感知は、クリップ組立体が付加されている電気導体を通じて既知の電流フローを提供し、センサ回路を使用して既知の電流フローを感知し、感知された電流フローの値を既知の電流フローの値と比較し、感知された電流フローの値と既知の電流フローの間の何らかの差に基づいて一つ以上の較正調節パラメータを判定し、且つ、較正調節パラメータに基づいてセンサ回路によって取得された電流フロー計測を較正することによる、電流感知を提供するセンサ回路の較正を含む。様々な例において、方法４００は、感知されたパラメータを示すデータ又はその他の情報を一つ以上の外部装置に無線送信するべくプローブ１００を使用するステップを具備する（ブロック４１６）。様々な例において、データ又はその他の情報の送信は、データ又はその他の情報を外部装置に送信するべくＷｉＦｉ互換フォーマットを使用するステップを含む。様々な例において、無線送信用のフォーマットは、ＩＥＥＥ８０２．１１規格に準拠したフォーマット及びプロトコルである。
【０１１２】
本開示の技法は、様々な演算装置、様々なタイプの回路、又はこれらの任意の組合せにおいて実装されてもよい。記述されているユニット、モジュール、又はコンポーネント及び回路のうちの任意のものは、別個の、但し、相互動作可能な論理装置として、一緒に、又は別個に、実装されてもよい。モジュール又はユニットとしての異なる特徴の描写は、異なる機能的側面を強調表示するためのものであり、且つ、必ずしも、このようなモジュール、回路、又はユニットが別個のハードウェア又はソフトウェアコンポーネントによって実現されなければならないことを意味するものではない。むしろ、一つ以上のモジュール、回路、又はユニットと関連する機能は、別個のハードウェア又はソフトウェアコンポーネントによって実行されてもよく、或いは、共通の又は別個のハードウェア又はソフトウェアコンポーネントにおいて統合されてもよい。
【０１１３】
本開示において記述されている技法は、少なくとも部分的に、ハードウェア、ソフトウェア、ファームウェア、又はこれらの任意の組合せにおいて実装されてもよい。例えば、技法の様々な側面は、一つ以上のマイクロプロセッサ、デジタル信号プロセッサ（ＤＳＰ：Digital Signal Processor）、用途固有の集積回路（ＡＳＩＣ：Application Specific Integrated Circuit）、フィールドプログラム可能なゲートアレイ（ＦＰＧＡ：Field Programmable Gate Array）、又は任意のその他の等価な集積された又は別個の論理回路、並びに、これらのコンポーネントの任意の組合せにおいて実装されてもよい。「プロセッサ」、「処理回路」、「コントローラ」、又は「制御モジュール」という用語は、一般に、単独の、或いは、その他の論理回路との組合せにおける、上述の論理回路のうちのいずれか、或いは、単独の、或いは、その他のデジタル又はアナログ回路との組合せにおける、任意のその他の等価な回路を意味し得る。
【０１１４】
ソフトウェアにおいて実装された態様の場合には、本開示において記述されているシステム及び装置に帰される機能のうちの少なくともいくつかは、ランダムアクセスメモリ（ＲＡＭ：Random Access Memory）、読取り専用メモリ（ＲＯＭ：Read-Only Memory）、不揮発性ランダムアクセスメモリ（ＮＶＲＡＭ：Non-Volatile Random Access Memory）、電気的に消去可能なプログラム可能な読み出し専用メモリ（ＥＥＰＲＯＭ：Electrically Erasable Programmable Read-Only Memory）、ＦＬＡＳＨメモリ、磁気媒体、光媒体、又は有体であるこれらに類似したものなどのコンピュータ可読ストレージ媒体上における命令として実施されてもよい。コンピュータ可読ストレージ媒体は、一時的ではないものと呼称されてもよい。又、サーバ、クライアント演算装置、又は任意のその他の演算装置は、容易なデータ転送又はオフラインデータ分析を可能にするための相対的に携帯可能な着脱自在のメモリタイプを含み得る。命令は、本開示において記述されている機能の一つ以上の態様をサポートするべく実行されてもよい。
【０１１５】
いくつかの例においては、コンピュータ可読ストレージ媒体は、一時的ではない媒体を具備する。「一時的ではない」という用語は、ストレージ媒体が、搬送波又は伝搬信号において実施されていないことを意味し得る。特定の例においては、一時的ではないストレージ媒体は、時間に伴って変化し得るデータを（例えば、ＲＡＭ又はキャッシュにおいて）保存してもよい。
【０１１６】
本開示の様々な態様は、以下の例によって提供される。
【０１１７】
例１：電気センサを有するセンサ回路を有する監視プローブであって、センサ回路は、電気センサが電気センサに隣接した状態において付加された際に、電気導体を通じた電流フローのレベルを監視するように構成されており、この場合に、電気センサは、電気センサが電気導体に電気的に結合されることなしに、電気導体に隣接した状態において付加された際に、電気導体を通じた電流フローのレベルを通知する電気出力信号を生成するように構成された感知要素を有する、センサ回路と、電気センサに結合された無線送信回路であって、無線送信回路は、電気センサから電気出力信号を受信し、且つ、無線送信回路から無線出力信号としてデータを無線送信するように構成されており、データは、電気導体を通じた電流フローのレベルを通知している、無線送信回路と、電気センサに結合されたクリップ組立体であって、クリップ組立体は、センサ回路に機械的に結合され、且つ、保持エリアを定義する複数のクリップ組立体を有し、この場合に、複数のクリップ部材は、保持エリアにおいて電気導体を受け入れ、且つ、電気導体に隣接した場所において電気センサを付加するべくその内部において電気導体に対して力を作用させるように構成されている、クリップ組立体と、を有する。
【０１１８】
例２：例１の監視プローブであって、クリップ部材は、クリップ組立体を電気導体に付加するべく電気導体の周囲の大きな部分を取り囲むように構成されている。
【０１１９】
例３：例１〜例２のいずれかの例の監視プローブであって、クリップ部材は、クリップ組立体を電気導体に付加するべく、クリップ部材が、フレキシブルに膨張して、それぞれのクリップ部材の端部部分の間の寸法を増大させ、電気導体が、端部部分の間の寸法を通じて、且つ、保持エリア内に、通過することを許容し、且つ、次いで、電気導体の外部の周囲に向かってフレキシブルに伸張して、電気導体の外部表面に力を作用させることを許容するように構成された弾性材料を有する。
【０１２０】
例４：例１〜例３のいずれかの例の監視プローブであって、クリップ部材は、電気導体が、保持エリアにおいて完全に受け入れられた際に、電気導体の外部表面の周囲の全体を実質的に取り囲んでいる。
【０１２１】
例５：例１〜例４のいずれかの例の監視プローブであって、クリップ部材は、クリップハンドルのペアに結合され、且つ、相互の関係において回動点を中心としてスプリング付勢され、且つ、クリップハンドルのペアに印加された力が、電気導体が端部部分の間の寸法を通じて、且つ、保持エリア内に、通過することを許容するべく、クリップ部材の端部部分の間における寸法を増大させるように、構成されており、クリップ部材は、クリップハンドルに印加された力が除去された際に、スプリング付勢が、クリップ部材に対して力を作用させ、これにより、電気導体の周囲を実質的に取り囲み、且つ、クリップ組立体を電気導体に付加するように、クリップ部材を押圧するべく、更に構成されている。
【０１２２】
例６：例１〜例５のいずれかの例の監視プローブであって、電気センサ及び無線送信回路は、電気センサ回路に結合された電池によって電力供給されている。
【０１２３】
例７：例１〜例６のいずれかの例の監視プローブであって、センサ回路は、電気導体を取り囲む電磁放射から電力をキャプチャし、且つ、センサ回路の電池又はスーパキャパシタを充電するように構成された電力ハーベスティング回路を有する。
【０１２４】
例８：例１〜例７のいずれかの例の監視プローブであって、無線送信回路は、電気センサ回路によって監視されている電気導体において信号を誘発することにより、データを送信するように構成されている。
【０１２５】
例９：例１〜例８のいずれかの例の監視プローブであって、クリップ部材は、ほぼ丸い形状の弾性部材が電気導体の外径を少なくとも部分的に取り囲むことを許容するべく、ほぼ丸い形状の弾性部材を含む。
【０１２６】
例１０：例１〜例９のいずれかの例の監視プローブであって、クリップ組立体は、複数のセンサ保持位置を有し、それぞれのセンサ保持位置は、センサ回路をクリップにおいて機械的に保持し、且つ、センサ回路を電気導体から既定の距離において位置決めするように構成されており、既定の距離のそれぞれは、その他の既定の距離のそれぞれとの関係において電気導体からの異なる距離である。
【０１２７】
例１１：例１〜例１０のいずれかの例の監視プローブであって、電気センサ回路は、温度を感知するように構成された温度センサを更に有する。
【０１２８】
例１２：プローブクリップ組立体であって、第一クリップ部材と、第一クリップ部材に結合された第二クリップ部材であって、第一クリップ部材及び第二クリップ部材は、電気導体の一部分を受け入れるように構成された保持エリアを部分的に封入するように構成されており、第一クリップ部材及び第二クリップ部材は、電気導体が保持エリアにおいて完全に受け入れられた際に、電気導体の一部分を少なくとも部分的に取り囲み、且つ、プローブクリップ組立体を電気導体に付加する方式で、保持エリアにおいて受け入れられた電気導体の一部分に対して力を作用させるように構成されている、第二クリップ部材と、第一クリップ部材及び第二クリップ部材に結合されたハウジングであって、ハウジングは、センサ回路を受け入れ、且つ、電気導体が保持エリアにおいて受け入れられ、且つ、プローブクリップ組立体が電気導体に付加された際に、電気導体に隣接した場所においてセンサ回路を位置決めするように構成されており、センサ回路は、電気導体と関連する一つ以上のパラメータを監視し、且つ、一つ以上のパラメータと関連するデータを無線送信するように構成されている、ハウジングと、を有する。
【０１２９】
例１３：例１２のプローブクリップ組立体であって、クリップ部材は、電気導体にクリップ組立体を付加するべく、クリップ部材が、フレキシブルに膨張して、それぞれのクリップ部材の端部の間の寸法を増大させ、電気導体が、端部部分の間の寸法を通じて、且つ、保持エリア内に、通過することを許容し、且つ、次いで、電気導体の外部の周囲に向かってフレキシブルに伸張して、電気導体の外部表面に対して力を作用させることを許容するように構成された弾性材料を有する。
【０１３０】
例１４：例１２又は例１３のいずれかの例のプローブクリップ組立体であって、クリップ部材は、クリップハンドルのペアに結合され、且つ、相互の関係において回動点を中心としてスプリング付勢され、且つ、電気導体が、端部部分の間の寸法を通じて、且つ、保持エリア内に、通過することを許容するべく、クリップハンドルのペアに印加された力が、クリップ部材の端部部分の間の寸法を増大させるように、構成され、クリップ部材は、クリップハンドルに印加された力が除去された際に、スプリング付勢がクリップ部材に対して力を作用させ、これにより、電気導体の周囲を実質的に取り囲み、且つ、クリップ組立体を電気導体に付加するように、クリップ部材を押圧するべく、更に構成されている。
【０１３１】
例１５：例１２〜例１４のいずれかの例のプローブクリップ組立体であって、第一クリップ部材及び第二クリップ部材は、電気導体の一部分を少なくとも部分的に取り囲み、且つ、プローブクリップ組立体をサイズの範囲を有する電気導体に付加するように構成されており、且つ、プローブクリップ組立体は、複数のサイズ構成において提供され、複数のサイズ構成のそれぞれは、複数のサイズ構成の別のものが受け入れるように構成されているサイズの範囲との比較において、異なるサイズの範囲である電気導体のサイズの範囲を受け入れるように構成されている。
【０１３２】
例１６：監視プローブを形成する部品のキットであって、少なくとも一つの感知回路であって、感知回路は、電気センサ及び電気センサに結合された無線送信回路を有し、センサ回路は、電気導体を通じた電流フローのレベルを監視するように構成され、電気センサは、電気センサが電気導体に電気的に結合されることなしに、電気導体に隣接した状態において配置された際に、電気導体を通じた電流フローのレベルを示す電気出力信号を生成するように構成された感知要素を有し、且つ、無線送信回路は、電気センサから電気出力信号を受け取り、且つ、無線送信回路から無線出力信号としてデータを無線送信するように構成され、データは、電気導体を通じた電流フローのレベルを示している、感知回路と、複数のクリップ組立体であって、複数のクリップ組立体のそれぞれは、少なくとも一つのセンサ回路に機械的に結合されるように構成され、且つ、複数のクリップ組立体のそれぞれは、クリップ部材によって形成された保持エリアにおいて電気導体のサイズ範囲を受け入れるように構成されたクリップ部材のペアを含み、且つ、複数のクリップ組立体のうちの一つ以上は、複数のクリップ組立体のうちの少なくとも一つのその他のものが受け入れるように構成されているものとは異なるサイズ範囲である電気導体のサイズ範囲を受け入れるように構成されている、複数のクリップ組立体と、を有する。
【０１３３】
例１７：例１６の部品のキットであって、複数のクリップ組立体のそれぞれは、異なる色の材料を有し、材料の色は、クリップ組立体が付加されるように構成されている電気導体のサイズ範囲に対応している。
【０１３４】
例１８：方法であって、電流感知用途用のセンサ回路を選択するステップと、電流感知用途用のクリップ組立体を選択するステップと、センサ回路をクリップ組立体に機械的に結合するステップと、クリップ組立体を電気導体に機械的に結合するステップであって、クリップ組立体を電気導体に結合するステップは、センサ回路が電気導体と隣接した状態において且つこれから既定の距離において付加されるように、クリップ組立体を結合するステップを有する、ステップと、センサ回路を使用し、電気導体を通じて流れる電流のレベルを感知するステップと、センサ回路により、電気導体を通じて流れる電流のレベルを示す電気出力信号を生成し、且つ、無線送信回路により、データを有する無線出力信号を無線送信するステップであって、データは、電気導体を通じた電流フローのレベルを通知している、ステップと、を有する。
【０１３５】
例１９：例１８の方法であって、クリップ組立体を電気導体に機械的に結合するステップは、クリップ部材の間の開口部寸法を増大させるべく、クリップ組立体の保持エリアを形成するクリップ部材のペアに回動自在に結合されたスプリング付勢されたハンドルのペアに対して力を作用させるステップと、開口部寸法を通じて、且つ、保持エリア内に、電気導体を受け入れるステップと、スプリング付勢されたハンドルに対して作用した力を除去し、これにより、スプリング付勢が、クリップ組立体を電気導体に付加するべく、クリップ部材を電気導体に向かって押圧し、且つ、クランピング力を電気導体の外部表面に対して作用させることを許容するステップと、を有する。
【０１３６】
例２０：例１８及び例１９のいずれかの例の方法であって、クリップ組立体を電気導体に機械的に結合するステップは、クリップ部材が、クリップ組立体を電気導体に付加するべく、電気導体の周囲の大きな部分を取り囲むように、クリップ部材を位置決めするステップを有する。
【０１３７】
例２１：システムであって、電源と、負荷を有する分岐回路と、分岐回路及び負荷を第一電気導体を通じて電源に電気的に結合する第一電気導体であって、第一電気導体は、負荷と電源の間の電流フロー用の経路を提供するように構成された電気回路の一部分を形成するように構成されている、第一電気導体と、第一電気導体に機械的に結合されたセンサ回路であって、センサ回路は、電流センサ回路及び無線送信回路を有し、電流センサ回路は、無線送信回路に通信自在に結合され、電流センサ回路は、第一電気導体に隣接した状態において配置され、且つ、第一電気導体を通じて流れる電流のレベルを感知し、且つ、第一電気導体を通じて流れる電流の感知されたレベルを通知する電気出力信号を提供するように構成されており、無線送信回路は、電流センサ回路から電気出力信号を受信し、且つ、無線送信回路からデータを無線送信するように構成され、データは、第一電気導体を通じて流れる電流のレベルを通知している、センサ回路と、を有する。
【０１３８】
例２２：例２１のシステムであって、無線送信回路は、データをネットワークに結合された受信機に送信するように構成され、ネットワークは、送信されたデータに少なくとも部分的に基づいてデータセンタインフラストラクチャ管理機能を実行するように構成されたコンピュータを有する。
【０１３９】
以上、本開示の様々な態様について説明した。これらの及びその他の態様は、添付の請求項の範囲に含まれる。
【図１】
2018072309.tif 000003
【図２Ａ】
2018072309.tif 000004
【図２Ｂ】
2018072309.tif 000005
【図２Ｃ】
2018072309.tif 000006
【図２Ｄ】
2018072309.tif 000007
【図２Ｅ】
2018072309.tif 000008
【図２Ｆ】
2018072309.tif 000009
【図２Ｇ】
2018072309.tif 000010
【図２Ｈ】
2018072309.tif 000011
【図２Ｊ】
2018072309.tif 000012
【図２Ｋ】
2018072309.tif 000013
【図２Ｌ】
2018072309.tif 000014
【図３】
2018072309.tif 000015
【図３Ａ】
2018072309.tif 000016
【図４】
2018072309.tif 000017
【図５】
2018072309.tif 000018
【外国語明細書】
2018072309000001.pdf